(57)【要約】【課題】  交雑により極晩抽性アブラナ科植物を生産するための親系統のスクリーニング方法、およびこれを用いた極晩抽性アブラナ科植物の製造方法の提供を目的とする。【解決手段】  本発明のスクリーニング方法は、交雑により極晩抽性アブラナ科植物を生産するための親系統として、アブラナ科植物の候補群から、極晩抽性マーカーセットとして少なくとも２種類の変異ＦＬＣ遺伝子をホモ接合型で有する植物を選抜する工程を含み、前記２種類の変異ＦＬＣ遺伝子が、正常ＦＬＣ遺伝子の塩基配列において１または数個の塩基対が挿入された挿入変異遺伝子、および、前記正常ＦＬＣ遺伝子の塩基配列において１または数個の塩基対が欠失された欠失変異遺伝子の少なくとも一方であることを特徴とする。【選択図】図１
2015231366.tif 000002
【特許請求の範囲】
【請求項１】
交雑により極晩抽性アブラナ科植物を生産するための親系統として、アブラナ科植物の候補群から、極晩抽性マーカーセットとして少なくとも２種類の変異ＦＬＣ遺伝子をホモ接合型で有する植物を選抜する工程を含み、
前記２種類の変異ＦＬＣ遺伝子が、正常ＦＬＣ遺伝子の塩基配列において１または数個の塩基対が挿入された挿入変異遺伝子、および、前記正常ＦＬＣ遺伝子の塩基配列において１または数個の塩基対が欠失された欠失変異遺伝子の少なくとも一方であることを特徴とする、スクリーニング方法。
【請求項２】
前記２種類の変異ＦＬＣ遺伝子が、第１の変異ＦＬＣ遺伝子または第３の変異ＦＬＣ遺伝子と、第２の変異ＦＬＣ遺伝子とを含み、
前記第１の変異ＦＬＣ遺伝子および前記第２の変異ＦＬＣ遺伝子が、それぞれ前記挿入変異遺伝子であり、
前記第３の変異ＦＬＣ遺伝子が、前記欠失変異遺伝子である、請求項１記載のスクリーニング方法。
【請求項３】
前記極晩抽性マーカーセットとして少なくとも３種類の変異ＦＬＣ遺伝子をホモ接合型で有する植物を選抜する工程を含み、
前記３種類の変異ＦＬＣ遺伝子が、正常ＦＬＣ遺伝子の塩基配列において１または数個の塩基対が挿入された挿入変異遺伝子、および、前記正常ＦＬＣ遺伝子の塩基配列において１または数個の塩基対が欠失された欠失変異遺伝子の少なくとも一方である、請求項１または２記載のスクリーニング方法。
【請求項４】
前記３種類の変異ＦＬＣ遺伝子が、第１の変異ＦＬＣ遺伝子、第２の変異ＦＬＣ遺伝子および第３の変異ＦＬＣ遺伝子であり、
前記第１の変異ＦＬＣ遺伝子および前記第２の変異ＦＬＣ遺伝子が、それぞれ前記挿入変異遺伝子であり、
前記第３の変異ＦＬＣ遺伝子が、前記欠失変異遺伝子である、請求項３記載のスクリーニング方法。
【請求項５】
前記第１の変異ＦＬＣ遺伝子は、下記プライマーセット１で、１．２ｋｂｐ〜４ｋｂｐの断片が増幅される遺伝子であり、
前記第２の変異ＦＬＣ遺伝子は、下記プライマーセット２で、１．２ｋｂｐ〜４ｋｂｐの断片が増幅される遺伝子であり、
前記第３の変異ＦＬＣ遺伝子は、下記プライマーセット３で、１００ｂｐ〜１８０ｂｐの断片が増幅される遺伝子である、請求項２から４のいずれか一項に記載のスクリーニング方法。
プライマーセット１
配列番号１の塩基配列からなるフォワードプライマー
配列番号２の塩基配列からなるリバースプライマー
プライマーセット２
配列番号３の塩基配列からなるフォワードプライマー
配列番号４の塩基配列からなるリバースプライマー
プライマーセット３
配列番号５の塩基配列からなるフォワードプライマー
配列番号６の塩基配列からなるリバースプライマー
【請求項６】
前記第１の変異ＦＬＣ遺伝子は、下記（ａ）のポリヌクレオチドが挿入された挿入変異遺伝子であり、
前記第２の変異ＦＬＣ遺伝子は、下記（ｂ）のポリヌクレオチドが挿入された挿入変異遺伝子であり、
前記第３の変異ＦＬＣ遺伝子は、下記（ｃ）のポリヌクレオチドが欠失された欠失変異遺伝子である、請求項２から５のいずれか一項に記載のスクリーニング方法。
（ａ）  下記（ａ１）のポリヌクレオチド
（ａ１）配列番号１０の塩基配列からなるポリヌクレオチド
（ｂ）  下記（ｂ１）のポリヌクレオチド
（ｂ１）配列番号１１の塩基配列からなるポリヌクレオチド
（ｃ）  下記（ｃ１）のポリヌクレオチド
（ｃ１）配列番号１２の塩基配列からなるポリヌクレオチド
【請求項７】
前記アブラナ科植物が、ダイコン属（Ｂｒａｓｓｉｃａｃｅａｅ Ｒａｐｈａｎｕｓ）、アブラナ属（Ｂｒａｓｓｉｃａｃｅａｅ Ｂｒａｓｓｉｃａ）およびシナピス属（Ｂｒａｓｓｉｃａｃｅａｅ  Ｓｉｎａｐｉｓ）からなる群から選択された少なくとも一つのアブラナ科植物である、請求項１から６のいずれか一項に記載のスクリーニング方法。
【請求項８】
前記アブラナ科植物が、種子である、請求項１から７のいずれか一項に記載のスクリーニング方法。
【請求項９】
受託番号ＦＥＲＭ  ＢＰ−２２２５９で特定されるアブラナ科植物またはその後代系統であることを特徴とする、交雑により極晩抽性アブラナ科植物を生産するための親系統アブラナ科植物。
【請求項１０】
第１の親系統と第２の親系統とを交雑することによって、極晩抽性の後代系統であるアブラナ科植物を得る交雑工程を含み、
前記第１の親系統と前記第２の親系統が、それぞれ、極晩抽性マーカーセットとして少なくとも２種類の変異ＦＬＣ遺伝子をホモ接合型で有するアブラナ科植物であり、
前記２種類の変異ＦＬＣ遺伝子が、正常ＦＬＣ遺伝子の塩基配列において１または数個の塩基対が挿入された挿入変異遺伝子、および、前記正常ＦＬＣ遺伝子の塩基配列において１または数個の塩基対が欠失された欠失変異遺伝子の少なくとも一方であることを特徴とする、極晩抽性の後代系統であるアブラナ科植物の製造方法。
【請求項１１】
前記２種類の変異ＦＬＣ遺伝子が、第１の変異ＦＬＣ遺伝子または第３の変異ＦＬＣ遺伝子と、第２の変異ＦＬＣ遺伝子とを含み、
前記第１の変異ＦＬＣ遺伝子および前記第２の変異ＦＬＣ遺伝子が、それぞれ前記挿入変異遺伝子であり、
前記第３の変異ＦＬＣ遺伝子が、前記欠失変異遺伝子である、請求項１０記載の製造方法。
【請求項１２】
前記第１の親系統と前記第２の親系統が、それぞれ、極晩抽性マーカーセットとして少なくとも３種類の変異ＦＬＣ遺伝子をホモ接合型で有するアブラナ科植物であり、
前記３種類の変異ＦＬＣ遺伝子が、正常ＦＬＣ遺伝子の塩基配列において１または数個の塩基対が挿入された挿入変異遺伝子、および、前記正常ＦＬＣ遺伝子の塩基配列において１または数個の塩基対が欠失された欠失変異遺伝子の少なくとも一方である、請求項１０または１１記載の製造方法。
【請求項１３】
前記３種類の変異ＦＬＣ遺伝子が、第１の変異ＦＬＣ遺伝子、第２の変異ＦＬＣ遺伝子および第３の変異ＦＬＣ遺伝子であり、
前記第１の変異ＦＬＣ遺伝子および前記第２の変異ＦＬＣ遺伝子が、それぞれ前記挿入変異遺伝子であり、
前記第３の変異ＦＬＣ遺伝子が、前記欠失変異遺伝子である、請求項１２記載の製造方法。
【請求項１４】
前記第１の変異ＦＬＣ遺伝子は、下記プライマーセット１で、１．２ｋｂｐ〜４ｋｂｐの断片が増幅される遺伝子であり、
前記第２の変異ＦＬＣ遺伝子は、下記プライマーセット２で、１．２ｋｂｐ〜４ｋｂｐの断片が増幅される遺伝子であり、
前記第３の変異ＦＬＣ遺伝子は、下記プライマーセット３で、１００ｂｐ〜１８０ｂｐの断片が増幅される遺伝子である、請求項１１から１３のいずれか一項に記載の製造方法。
プライマーセット１
配列番号１の塩基配列からなるフォワードプライマー
配列番号２の塩基配列からなるリバースプライマー
プライマーセット２
配列番号３の塩基配列からなるフォワードプライマー
配列番号４の塩基配列からなるリバースプライマー
プライマーセット３
配列番号５の塩基配列からなるフォワードプライマー
配列番号６の塩基配列からなるリバースプライマー
【請求項１５】
前記第１の変異ＦＬＣ遺伝子は、下記（ａ）のポリヌクレオチドが挿入された挿入変異遺伝子であり、
前記第２の変異ＦＬＣ遺伝子は、下記（ｂ）のポリヌクレオチドが挿入された挿入変異遺伝子であり、
前記第３の変異ＦＬＣ遺伝子は、下記（ｃ）のポリヌクレオチドが欠失された欠失変異遺伝子である、請求項１１から１４のいずれか一項に記載の製造方法。
（ａ）  下記（ａ１）のポリヌクレオチド
（ａ１）配列番号１０の塩基配列からなるポリヌクレオチド
（ｂ）  下記（ｂ１）のポリヌクレオチド
（ｂ１）配列番号１１の塩基配列からなるポリヌクレオチド
（ｃ）  下記（ｃ１）のポリヌクレオチド
（ｃ１）配列番号１２の塩基配列からなるポリヌクレオチド
【請求項１６】
前記第１の親系統および前記第２の親系統の少なくとも一方が、受託番号ＦＥＲＭ  ＢＰ−２２２５９で特定されるアブラナ科植物またはその後代系統である、請求項１０から１５のいずれか一項に記載の製造方法。
【請求項１７】
前記交雑工程の前に、さらに、アブラナ科植物の候補群から、少なくとも２種類の変異ＦＬＣ遺伝子をホモ接合型で有する植物を、前記第１の親系統または前記第２の親系統として選抜する選抜工程を含む、請求項１０から１６のいずれか一項に記載の製造方法。
【請求項１８】
前記第１の親系統と前記第２の親系統とが、異なるＳ遺伝子型であり、前記交雑が他家受粉である、請求項１０から１７のいずれか一項に記載の製造方法。
【請求項１９】
前記アブラナ科植物が、ダイコン属（Ｂｒａｓｓｉｃａｃｅａｅ Ｒａｐｈａｎｕｓ）、アブラナ属（Ｂｒａｓｓｉｃａｃｅａｅ Ｂｒａｓｓｉｃａ）およびシナピス属（Ｂｒａｓｓｉｃａｃｅａｅ  Ｓｉｎａｐｉｓ）からなる群から選択された少なくとも一つのアブラナ科植物である、請求項１０から１８のいずれか一項に記載の製造方法。
【請求項２０】
前記アブラナ科植物が、種子である、請求項１０から１９のいずれか一項に記載の製造方法。
【請求項２１】
さらに、前記交雑工程により得られた前記後代系統から、種子を採種する採種工程を含む、請求項１０から２０のいずれか一項に記載の製造方法。
【請求項２２】
請求項１０から２１のいずれか一項に記載の製造方法により得られることを特徴とする、極晩抽性のアブラナ科植物。
【請求項２３】
少なくとも２種類のホモ接合型の変異ＦＬＣ遺伝子を含み、
前記２種類の変異ＦＬＣ遺伝子が、正常ＦＬＣ遺伝子の塩基配列において１または数個の塩基対が挿入された挿入変異遺伝子、および、前記正常ＦＬＣ遺伝子の塩基配列において１または数個の塩基対が欠失された欠失変異遺伝子の少なくとも一方であることを特徴とする、アブラナ科植物の極晩抽性マーカーセット。
【請求項２４】
前記２種類の変異ＦＬＣ遺伝子が、第１の変異ＦＬＣ遺伝子または第３の変異ＦＬＣ遺伝子と、第２の変異ＦＬＣ遺伝子とを含み、
前記第１の変異ＦＬＣ遺伝子および前記第２の変異ＦＬＣ遺伝子が、それぞれ前記挿入変異遺伝子であり、
前記第３の変異ＦＬＣ遺伝子が、前記欠失変異遺伝子である、請求項２３記載の極晩抽性マーカーセット。
【請求項２５】
少なくとも３種類のホモ接合型の変異ＦＬＣ遺伝子を含み、
前記３種類の変異ＦＬＣ遺伝子が、正常ＦＬＣ遺伝子の塩基配列において１または数個の塩基対が挿入された挿入変異遺伝子、および、前記正常ＦＬＣ遺伝子の塩基配列において１または数個の塩基対が欠失された欠失変異遺伝子の少なくとも一方である、請求項２３または２４記載の極晩抽性マーカーセット。
【請求項２６】
前記３種類の変異ＦＬＣ遺伝子が、第１の変異ＦＬＣ遺伝子、第２の変異ＦＬＣ遺伝子および第３の変異ＦＬＣ遺伝子であり、
前記第１の変異ＦＬＣ遺伝子および前記第２の変異ＦＬＣ遺伝子が、それぞれ前記挿入変異遺伝子であり、
前記第３の変異ＦＬＣ遺伝子が、前記欠失変異遺伝子である、請求項２５記載の極晩抽性マーカーセット。
【請求項２７】
前記第１の変異ＦＬＣ遺伝子は、下記プライマーセット１で、１．２ｋｂｐ〜４ｋｂｐの断片が増幅される遺伝子であり、
前記第２の変異ＦＬＣ遺伝子は、下記プライマーセット２で、１．２ｋｂｐ〜４ｋｂｐの断片が増幅される遺伝子であり、
前記第３の変異ＦＬＣ遺伝子は、下記プライマーセット３で、１００ｂｐ〜１８０ｂｐの断片が増幅される遺伝子である、請求項２４から２６のいずれか一項に記載の極晩抽性マーカーセット。
プライマーセット１
配列番号１の塩基配列からなるフォワードプライマー
配列番号２の塩基配列からなるリバースプライマー
プライマーセット２
配列番号３の塩基配列からなるフォワードプライマー
配列番号４の塩基配列からなるリバースプライマー
プライマーセット３
配列番号５の塩基配列からなるフォワードプライマー
配列番号６の塩基配列からなるリバースプライマー
【請求項２８】
前記第１の変異ＦＬＣ遺伝子は、下記（ａ）のポリヌクレオチドが挿入された挿入変異遺伝子であり、
前記第２の変異ＦＬＣ遺伝子は、下記（ｂ）のポリヌクレオチドが挿入された挿入変異遺伝子であり、
前記第３の変異ＦＬＣ遺伝子は、下記（ｃ）のポリヌクレオチドが欠失された欠失変異遺伝子である、請求項２４から２７のいずれか一項に記載の極晩抽性マーカーセット。
（ａ）  下記（ａ１）のポリヌクレオチド
（ａ１）配列番号１０の塩基配列からなるポリヌクレオチド
（ｂ）  下記（ｂ１）のポリヌクレオチド
（ｂ１）配列番号１１の塩基配列からなるポリヌクレオチド
（ｃ）  下記（ｃ１）のポリヌクレオチド
（ｃ１）配列番号１２の塩基配列からなるポリヌクレオチド
【発明の詳細な説明】
【技術分野】
【０００１】
本発明は、極晩抽性アブラナ科植物を生産するための親系統のスクリーニング方法、およびそれを用いた極晩抽性アブラナ科植物の製造方法に関する。
【背景技術】
【０００２】
アブラナ科のモデル植物のシロイヌナズナでは、低温条件、長日条件、ジベレリン、自律系因子等が、開花誘導に関与することが報告されている（非特許文献１）。前記低温条件下で処理されたシロイヌナズナでは、ＦＬＯＷＥＲＩＮＧ  ＬＯＣＵＳ  Ｃ遺伝子（ＦＬＣ遺伝子）の発現が抑制され、これにより他の開花関連遺伝子の誘導が促進され、開花が誘導される（非特許文献２）。また、シロイヌナズナでは、ＦＬＣ遺伝子の第１イントロンが、ＦＬＣ遺伝子の発現抑制に関与することが報告されている（非特許文献３）。
【０００３】
アブラナ科植物であるダイコン（Ｒａｐｈａｎｕｓ ｓａｔｉｖｕｓ Ｌ.）は、シロイヌナズナと同様に、低温条件と長日条件とにより、花芽が分化し、抽台（花茎の伸長）および開花の誘導が促進される（非特許文献４）。低温期に種を蒔くダイコン栽培では、低温条件による抽台が生じやすく、また、抽台が誘導された前記ダイコンは、根の肥大が止まるため、商品価値が著しく低下する。このため、低温条件下において、抽台および開花が誘導されにくい、いわゆる晩抽性品種が求められている。
【０００４】
このように、商品価値の点から育種対象のアブラナ科植物が晩抽性であることが求められる一方、さらに、後代を育種するためには、開花させて交雑を行い、後代系統（例えば、Ｆ１）を採種することも必要である。しかしながら、他家受粉の場合、第１の親系統と第２の親系統との間で晩抽性が一致しなければ、抽台および開花の時期がずれてしまい、受粉が行えず、Ｆ１の採種が困難となる。また、アブラナ科植物の品質改良において、例えば、品質Ａに優れる第１の親系統と、品質Ｂに優れる第２の親系統とを交配し、品質Ａと品質Ｂの両方に優れる後代系統の採種が望まれる。しかしながら、前述のように、前記第１の親系統と前記第２の親系統との間で晩抽性が一致しなければ、受粉が困難である。さらに、アブラナ科植物の抽台および開花時期は、客観的に簡便に判断することができないため、実際の育種で確認するしかなく、多大な時間とコストを要するという問題がある。
【先行技術文献】
【非特許文献】
【０００５】
【非特許文献１】Sung  and  Amashino（2005）  Ann．Rev．Plant．Biol．  56：491−508
【非特許文献２】Michaels，S．D．＆Amashino，R．M．（1999）  Plant  Cell  11：949−956
【非特許文献３】Cao  R  et  al．（2002）Science  298：1039−1043
【非特許文献４】松本正雄、村上睦朗、「ＩＶ  花成の生理」、農業技術体系  野菜編  第９巻  ダイコン・ニンジン・カブ・ゴボウ、１９８３年、５７−６１頁
【発明の概要】
【発明が解決しようとする課題】
【０００６】
そこで、本発明は、交雑により極晩抽性アブラナ科植物を生産するための親系統のスクリーニング方法、およびこれを用いた極晩抽性アブラナ科植物の製造方法の提供を目的とする。
【課題を解決するための手段】
【０００７】
前記目的を達成するために、本発明のスクリーニング方法は、交雑により極晩抽性アブラナ科植物を生産するための親系統として、アブラナ科植物の候補群から、極晩抽性マーカーセットとして少なくとも２種類の変異ＦＬＣ遺伝子をホモ接合型で有する植物を選抜する工程を含み、前記２種類の変異ＦＬＣ遺伝子が、正常ＦＬＣ遺伝子の塩基配列において１または数個の塩基対が挿入された挿入変異遺伝子、および、前記正常ＦＬＣ遺伝子の塩基配列において１または数個の塩基対が欠失された欠失変異遺伝子の少なくとも一方であることを特徴とする。
【０００８】
本発明の交雑により極晩抽性アブラナ科植物を生産するための親系統アブラナ科植物は、受託番号ＦＥＲＭ  ＢＰ−２２２５９で特定されるアブラナ科植物またはその後代系統であることを特徴とする。
【０００９】
本発明の製造方法は、極晩抽性の後代系統であるアブラナ科植物の製造方法であり、第１の親系統と第２の親系統とを交雑することによって、極晩抽性の後代系統であるアブラナ科植物を得る交雑工程を含み、前記第１の親系統と前記第２の親系統が、それぞれ、極晩抽性マーカーセットとして少なくとも２種類の変異ＦＬＣ遺伝子をホモ接合型で有するアブラナ科植物であり、前記２種類の変異ＦＬＣ遺伝子が、正常ＦＬＣ遺伝子の塩基配列において１または数個の塩基対が挿入された挿入変異遺伝子、および、前記正常ＦＬＣ遺伝子の塩基配列において１または数個の塩基対が欠失された欠失変異遺伝子の少なくとも一方であることを特徴とする。
【００１０】
本発明の極晩抽性アブラナ科植物は、前記本発明の製造方法により得られることを特徴とする。
【００１１】
本発明のマーカーセットは、アブラナ科植物の極晩抽性マーカーセットであり、少なくとも２種類のホモ接合型の変異ＦＬＣ遺伝子を含み、前記２種類の変異ＦＬＣ遺伝子が、正常ＦＬＣ遺伝子の塩基配列において１または数個の塩基対が挿入された挿入変異遺伝子、および、前記正常ＦＬＣ遺伝子の塩基配列において１または数個の塩基対が欠失された欠失変異遺伝子の少なくとも一方であることを特徴とする。
【発明の効果】
【００１２】
本発明者らは、鋭意研究の結果、アブラナ科植物について、極晩抽性を示すマーカーセットとして、３種類のホモ接合型の変異ＦＬＣ遺伝子を見出した。前記マーカーセットのうち少なくとも２種類のマーカーをホモ接合型で有するアブラナ科植物は、極晩抽性を示す。このため、本発明のスクリーニング方法によれば、例えば、アブラナ科植物の候補群から、前記少なくとも２種類のマーカーをホモ接合型で有する植物を選抜することで、極晩抽性アブラナ科植物を得ることができる。そして、前記スクリーニング方法によって得られた前記少なくとも２種類のマーカーをホモ接合型で有するアブラナ科植物を、例えば、交雑の前記第１の親系統および前記第２の親系統として使用すれば、両者は、抽台および開花の時期が重複するため、両者の交雑が可能であり、受粉により、Ｆ１を容易に採種できる。また、前記第１の親系統と前記第２の親系統とが、例えば、少なくとも２種類のマーカーをホモ接合型で共通して有している場合、ホモ接合型の前記少なくとも２種類のマーカーをホモ接合型で有する前記第１の親系統と前記第２の親系統とを交雑しているため、得られるＦ１についても、前記両親系統が有する極晩抽性を受け継がせることができる。さらに、本発明によれば、品種改良において、例えば、望ましい品質を有する候補群から、前記少なくとも２種類のマーカーをホモ接合型で有する植物を選抜し、親系統として使用することにより、極晩抽性を保持し且つ前記品質も有するＦ１の採種が可能となる。このため、本発明によれば、例えば、品質がよく、商品価値が高いアブラナ科植物を生産できる。したがって、本発明は、例えば、農業、育種等の分野におけるアブラナ科植物の採種および生産に、極めて有用である。
【図面の簡単な説明】
【００１３】
【図１】図１は、実施例１におけるプライマーセットの設計の概略を示す図である。
【図２】図２は、実施例１における選抜系統２７−１のＦＬＣ１遺伝子、ＦＬＣ２遺伝子およびＦＬＣ３遺伝子の増幅産物を示す電気泳動写真である。
【発明を実施するための形態】
【００１４】
（１）親系統のスクリーニング方法
本発明のスクリーニング方法は、前述のように、交雑により極晩抽性アブラナ科植物を生産するための親系統のスクリーニング方法であり、前記親系統として、アブラナ科植物の候補群から、極晩抽性マーカーセットとして少なくとも２種類の変異ＦＬＣ遺伝子をホモ接合型で有する植物を選抜する工程を含み、前記２種類の変異ＦＬＣ遺伝子が、正常ＦＬＣ遺伝子の塩基配列において１または数個の塩基対が挿入された挿入変異遺伝子、および、前記正常ＦＬＣ遺伝子の塩基配列において１または数個の塩基対が欠失された欠失変異遺伝子の少なくとも一方であることを特徴とする。
【００１５】
本発明のスクリーニング方法によれば、前記極晩抽性マーカーセットによって、極晩抽性の親系統を得ることができる。このため、本発明のスクリーニング方法により得られた親系統を、第１の親系統および第２の親系統として交雑に使用すれば、前記両者は、共に極晩抽性であるため、前述のように、抽台および開花の時期が重複し、Ｆ１を容易に採種できる。
【００１６】
抽台とは、一般に、花茎（花をつけた茎）が伸びだすことを意味する。本発明において、「極晩抽性」とは、前記抽台までの期間が長いこと、前記抽台に関連する花芽形成または開花までの期間が長いことを意味する。具体的に、本発明における前記極晩抽性は、例えば、アブラナ科植物を低温条件で処理した場合、前記低温条件での処理の最終日を基準として、花芽形成（花芽分化と同義）、抽台または開花までの期間により判断できる。
【００１７】
本発明において、「アブラナ科植物」は、Ｂｒａｓｓｉｃａｃｅａｅである。
【００１８】
前記アブラナ科植物は、特に制限されず、例えば、ダイコン属（Ｂｒａｓｓｉｃａｃｅａｅ Ｒａｐｈａｎｕｓ）、アブラナ属（Ｂｒａｓｓｉｃａｃｅａｅ Ｂｒａｓｓｉｃａ）、シナピス属（Ｂｒａｓｓｉｃａｃｅａｅ Ｓｉｎａｐｉｓ）等があげられる。前記ダイコン属は、特に制限されず、例えば、ダイコン種（Ｒａｐｈａｎｕｓ ｓａｔｉｖｕｓ）、キバナダイコン種（Ｒａｐｈａｎｕｓ ｒａｐｈａｎｉｓｔｒｕｍ）等があげられる。前記アブラナ属は、特に制限されず、例えば、ラパ種（Ｂｒａｓｓｉｃａ ｒａｐａ）、キャベツ種（Ｂｒａｓｓｉｃａ ｏｌｅｒａｃｅａ）、セイヨウアブラナ種（Ｂｒａｓｓｉｃａ ｎａｐｕｓ）等があげられる。前記ダイコン種は、例えば、ダイコン、ハツカダイコン等があげられる。前記ラパ種は、例えば、アブラナ、ハクサイ、カブ、コマツナ、チンゲンサイ、ノザワナ、ミズナ、サイシン等があげられる。前記キャベツ種は、例えば、キャベツ、カリフラワー、ブロッコリー、ケール、コールラビ、カイラン等があげられる。前記セイヨウアブラナ種は、例えば、ナタネ、ルタバガ等があげられる。
【００１９】
本発明において、ＦＬＣ遺伝子は、ＦＬＣ（Ｆｌｏｗｅｒｉｎｇ  ｌｏｃｕｓ  Ｃ）タンパク質をコードするゲノム遺伝子であり、エキソンと、前記エキソン間のイントロンとを含む塩基配列を意味する。
【００２０】
本発明のスクリーニング方法における前記極晩抽性マーカーセットは、後述する本発明の極晩抽性マーカーセットである。前記極晩抽性マーカーセットは、少なくとも２種類のホモ接合型の変異ＦＬＣ遺伝子を含み、前記２種類の変異ＦＬＣ遺伝子が、正常ＦＬＣ遺伝子の塩基配列において１または数個の塩基対が挿入された挿入変異遺伝子、および、前記正常ＦＬＣ遺伝子の塩基配列において１または数個の塩基対が欠失された欠失変異遺伝子の少なくとも一方である。
【００２１】
本発明において、前記極晩抽性マーカーセットは、前記マーカーとして、少なくとも前記２種類のホモ接合型の変異ＦＬＣ遺伝子を含んでいればよい。前記極晩抽性マーカーセットは、例えば、マーカーとして、アブラナ科植物が有する全てのＦＬＣ遺伝子の前記ホモ接合型の変異遺伝子を含んでもよい。前記アブラナ科植物において、前記ダイコンは、３種類のＦＬＣ遺伝子を有し、前記ハクサイは、４種類のＦＬＣ遺伝子を有する。このため、前記極晩抽性アブラナ科植物がダイコンの場合、例えば、前記２種類のホモ接合型の変異ＦＬＣ遺伝子を、前記極晩抽性マーカーセットとしてもよいし、前記３種類のホモ接合型の変異ＦＬＣ遺伝子を、前記極晩抽性マーカーセットとしてもよい。また、前記極晩抽性アブラナ科植物がハクサイの場合、例えば、前記２種類のホモ接合型の変異ＦＬＣ遺伝子を、前記極晩抽性マーカーセットとしてもよいし、前記３種類のホモ接合型の変異ＦＬＣ遺伝子を、前記極晩抽性マーカーセットとしてもよいし、前記４種類のホモ接合型の変異ＦＬＣ遺伝子を前記極晩抽性マーカーセットとしてもよい。
【００２２】
以下、アブラナ科植物が３種類のＦＬＣ遺伝子を有する場合を例にあげ説明するが、前記アブラナ科植物が有するＦＬＣ遺伝子の種類数は、特に制限されない。前記３種類のホモ接合型の変異ＦＬＣ遺伝子を、以下、第１の変異ＦＬＣ遺伝子、第２の変異ＦＬＣ遺伝子および第３の変異ＦＬＣ遺伝子という。前記２種類の変異ＦＬＣ遺伝子の組合せは、特に制限されず、例えば、前記第１の変異ＦＬＣ遺伝子、前記第２の変異ＦＬＣ遺伝子および前記第３の変異ＦＬＣ遺伝子からなる群から選択された少なくとも２つの変異ＦＬＣ遺伝子であり、より精度よく極晩抽性のアブラナ科植物を選抜できることから、好ましくは、前記第１の変異ＦＬＣ遺伝子または前記第３の変異ＦＬＣ遺伝子と、前記第２の変異ＦＬＣ遺伝子との組合せである。具体的に、前記極晩抽性マーカーセットとして２種類の変異ＦＬＣ遺伝子を含む場合、前記２種類の変異遺伝子の組合せは、例えば、前記第１の変異ＦＬＣ遺伝子と前記第２の変異ＦＬＣ遺伝子との組合せ、前記第１の変異ＦＬＣ遺伝子と前記第３の変異ＦＬＣ遺伝子との組合せ、前記第２の変異ＦＬＣ遺伝子と前記第３の変異ＦＬＣ遺伝子との組合せであり、より精度よく極晩抽性のアブラナ科植物を選抜できることから、好ましくは、前記第１の変異ＦＬＣ遺伝子と前記第２の変異ＦＬＣ遺伝子との組合せ、前記第２の変異ＦＬＣ遺伝子と前記第３の変異ＦＬＣ遺伝子との組合せである。前記２種類の変異ＦＬＣ遺伝子は、例えば、１種類が、正常ＦＬＣ遺伝子の塩基配列において１または数個の塩基対が挿入された挿入変異遺伝子であり、１種類が、正常ＦＬＣ遺伝子の塩基配列において１または数個の塩基対が挿入された挿入変異遺伝子または前記正常ＦＬＣ遺伝子の塩基配列において１または数個の塩基対が欠失された欠失変異遺伝子である。具体的には、例えば、前記第１の変異ＦＬＣ遺伝子は、正常ＦＬＣ遺伝子の塩基配列において１または数個の塩基対が挿入された挿入変異遺伝子であり、前記第２の変異ＦＬＣ遺伝子は、前記正常ＦＬＣ遺伝子の塩基配列において１または数個の塩基対が挿入された挿入変異遺伝子であり、前記第３の変異ＦＬＣ遺伝子は、前記正常ＦＬＣ遺伝子の塩基配列において１または数個の塩基対が欠失された欠失変異遺伝子である。また、前記極晩抽性マーカーセットとして３種類の変異ＦＬＣ遺伝子を含む場合、前記３種類の変異遺伝子の組合せは、例えば、前記第１の変異ＦＬＣ遺伝子と前記第２の変異ＦＬＣ遺伝子と前記第３の変異ＦＬＣ遺伝子との組合せである。前記３種類の変異型ＦＬＣ遺伝子は、例えば、２種類が、正常ＦＬＣ遺伝子の塩基配列において１または数個の塩基対が挿入された挿入変異遺伝子であり、１種類が、前記正常ＦＬＣ遺伝子の塩基配列において１または数個の塩基対が欠失された欠失変異遺伝子である。具体的には、例えば、前記第１の変異ＦＬＣ遺伝子は、正常ＦＬＣ遺伝子の塩基配列において１または数個の塩基対が挿入された挿入変異遺伝子であり、前記第２の変異ＦＬＣ遺伝子は、前記正常ＦＬＣ遺伝子の塩基配列において１または数個の塩基対が挿入された挿入変異遺伝子であり、前記第３の変異ＦＬＣ遺伝子は、前記正常ＦＬＣ遺伝子の塩基配列において１または数個の塩基対が欠失された欠失変異遺伝子である。
【００２３】
前記第１の変異ＦＬＣ遺伝子は、例えば、正常ＦＬＣ１遺伝子に対する挿入変異遺伝子であり、「変異ＦＬＣ１遺伝子」または「挿入変異ＦＬＣ１遺伝子」ともいい、前記第２の変異ＦＬＣ遺伝子は、例えば、正常ＦＬＣ２遺伝子に対する挿入変異遺伝子であり、「変異ＦＬＣ２遺伝子」または「挿入変異ＦＬＣ２遺伝子」ともいい、前記第３の変異ＦＬＣ遺伝子は、例えば、正常ＦＬＣ３遺伝子に対する欠失変異遺伝子であり、「変異ＦＬＣ３遺伝子」または「欠失変異ＦＬＣ３遺伝子」ともいう。本発明において、前記変異ＦＬＣ１遺伝子、前記変異ＦＬＣ２遺伝子および前記変異ＦＬＣ３遺伝子は、例えば、イントロンが変異した変異遺伝子であり、それぞれ、前記正常ＦＬＣ１遺伝子の第１イントロン、前記正常ＦＬＣ２遺伝子の第１イントロンおよび前記正常ＦＬＣ３遺伝子の第１イントロンが変異した変異遺伝子であることが好ましい。前記第１イントロンは、第１エキソンと第２エキソンとの間の塩基配列を意味する。
【００２４】
前記挿入変異遺伝子のうち前記変異ＦＬＣ１遺伝子において、挿入された塩基対の個数は、下限が、１個以上であり、好ましくは、１００個以上、５００個以上、１０００個以上、１５００個以上、１８００個以上であり、上限が、例えば、３０００個以下、２５００個以下、２２００個以下であり、範囲が、例えば、１〜３０００個、１００〜３０００個、５００〜３０００個、１０００〜２５００個、１５００〜２５００個、１８００〜２２００個、２０００個前後（例えば、２０００±１００個）、１９００個前後（例えば、１９００±１００個）、１９１０個前後（例えば、１９１０±１００個）である。前記挿入塩基対の個数は、例えば、前記挿入変異遺伝子と前記正常遺伝子とをアライメントした際、対応する両者の所定領域における、前記挿入変異遺伝子の長さ（塩基長）と前記正常遺伝子の長さ（塩基長）との差ともいえる。本発明において、塩基数等の個数の数値範囲は、例えば、その範囲に属する正の整数を全て開示するものである。つまり、例えば、「１〜５個」との記載は、「１、２、３、４、５個」の全ての開示を意味する（以下、同様）。
【００２５】
前記挿入変異遺伝子のうち前記変異ＦＬＣ２遺伝子において、挿入された塩基対の個数は、下限が、１個以上であり、好ましくは、１００個以上、５００個以上、１０００個以上、１３００個以上であり、上限が、例えば、２５００個以下、２０００個以下、１７００個以下であり、範囲が、例えば、１〜２５００個、１００〜２５００個、５００〜２５００個、１０００〜２５００個、１０００〜２０００個、１３００〜１７００個、１５００個前後（例えば、１５００±１００個）、１６００個前後（例えば、１６００±１００個）、１６２６個前後（例えば、１６２６±１００個）である。前記挿入塩基対の個数は、例えば、前記挿入変異遺伝子と前記正常遺伝子とをアライメントした際、対応する両者の所定領域における、前記挿入変異遺伝子の長さ（塩基長）と前記正常遺伝子の長さ（塩基長）との差ともいえる。
【００２６】
前記欠失変異遺伝子である前記変異ＦＬＣ３遺伝子において、欠失した塩基対の個数は、下限が、１個以上であり、好ましくは、１０個以上、２０個以上、３０個以上であり、上限が、例えば、３００個以下、２００個以下、１００個以下、７０個以下であり、その範囲が、例えば、１〜３００個、１０〜３００個、２０〜２００個、２０〜１００個、３０〜５０個、５０個前後（例えば、５０±１０個）、５５個前後（例えば、５５±１０個）、５７個前後（例えば、５７±１０個）である。前記欠失塩基対の個数は、例えば、前記欠失変異遺伝子と前記正常遺伝子とをアライメントした際、対応する両者の所定領域における、前記欠失変異遺伝子の長さ（塩基長）と前記正常遺伝子の長さ（塩基長）との差ともいえる。
【００２７】
本発明において、前記第１の変異ＦＬＣ遺伝子、前記第２の変異ＦＬＣ遺伝子および前記第３の変異ＦＬＣ遺伝子は、例えば、それぞれ、配列番号１の塩基配列からなるフォワードプライマーと配列番号２の塩基配列からなるリバースプライマーとの組合せである下記プライマーセット１、配列番号３の塩基配列からなるフォワードプライマーと配列番号４の塩基配列からなるリバースプライマーとの組合せである下記プライマーセット２、および、配列番号５の塩基配列からなるフォワードプライマーと配列番号６の塩基配列からなるリバースプライマーとの組合せである下記プライマーセット３で、所定の長さの断片が増幅される遺伝子である。
【００２８】
プライマーセット１
フォワードプライマー  （配列番号１）
5'-GTTTCCTAACTGATTCTTAATTTCC-3'
リバースプライマー    （配列番号２）
5'-GAAGAAAAAGGTTTTGGTGAGGTGG-3'
プライマーセット２
フォワードプライマー  （配列番号３）
5'-GCAGATCTCTTGTGGATTTCTCGG-3'
リバースプライマー    （配列番号４）
5'-CTTCAGATCCTCAAGGAGTTCTAAG-3'
プライマーセット３
フォワードプライマー  （配列番号５）
5'-GTAGTTTTGAAATTTTGTTAGGC-3'
リバースプライマー    （配列番号６）
5'-CCACTTCTTAATTATTTTTAGC-3'
【００２９】
すなわち、前記第１の変異ＦＬＣ遺伝子は、前述のように挿入変異遺伝子であるため、例えば、前記プライマーセット１で前記第１の正常ＦＬＣ遺伝子を増幅した断片よりも、長い断片が得られる。前記第１の変異ＦＬＣ遺伝子は、例えば、プライマーセット１で断片が増幅される遺伝子であり、前記断片長の下限が、例えば、１．２ｋｂｐ以上、１．５ｋｂｐ以上、２ｋｂｐ以上、２．３ｋｂｐ以上であり、前記断片長の上限が、例えば、４ｋｂｐ以下、３ｋｂｐ以下、２．８ｋｂｐ以下であり、その範囲が、例えば、１．２ｋｂｐ〜４ｋｂｐ、１．２ｋｂｐ〜３ｋｂｐ、２ｋｂｐ〜２．８ｋｂｐ、２．６ｋｂｐ前後（例えば、２．６±０．２ｋｐｂ、２．６±０．１ｋｂｐ）、２．５５ｋｂｐ前後（例えば、２．５５±０．２ｋｐｂ、２．５５±０．１ｋｂｐ）である。他方、前記第１の正常ＦＬＣ遺伝子は、例えば、前記プライマーセット１で増幅した場合、前記第１の変異ＦＬＣ遺伝子よりも短い断片が増幅される遺伝子であり、前記断片長の下限は、例えば、０．３ｋｂｐ以上、０．４ｋｂｐ以上であり、前記断片長の上限は、例えば、１ｋｂｐ以下、０．８ｋｂｐ以下であり、その範囲は、例えば、０．３ｋｂｐ〜１ｋｂｐ、０．４ｋｂｐ〜１ｋｂｐ、０．４ｋｂｐ〜０．８ｋｂｐ、０．６ｋｂｐ前後（例えば、０．６±０．１ｋｂｐ、０．６±０．０５ｋｂｐ）である。
【００３０】
また、前記第２の変異ＦＬＣ遺伝子は、前述のように挿入変異遺伝子であるため、例えば、前記プライマーセット２で前記第２の正常ＦＬＣ遺伝子を増幅した断片よりも、長い断片が得られる。前記第２の変異ＦＬＣ遺伝子は、例えば、プライマーセット２で断片が増幅される遺伝子であり、前記断片長の下限は、例えば、１．２ｋｂｐ以上、１．５ｋｂｐ以上、１．８ｋｂｐ以上であり、前記断片長の上限は、例えば、４ｋｂｐ以下、３ｋｂｐ以下、２．８ｋｂｐ以下、２．５ｋｂｐ以下であり、その範囲は、例えば、１．２ｋｂｐ〜４ｋｂｐ、１．２ｋｂｐ〜３ｋｂｐ、１．５ｋｂｐ〜２．５ｋｂｐ、１．８ｋｂｐ〜２．５ｋｂｐ、２ｋｂｐ前後（例えば、２±０．２ｋｂｐ、２±０．１ｋｂｐ）、２．２ｋｂｐ前後（例えば、２．２±０．２ｋｂｐ、２．２±０．１ｋｂｐ）である。他方、前記第２の正常ＦＬＣ遺伝子は、例えば、前記プライマーセット２で増幅した場合、前記第２の変異ＦＬＣ遺伝子よりも短い断片が増幅される遺伝子であり、前記断片長の下限は、例えば、０．３ｋｂｐ以上、０．４ｋｂｐ以上、０．５ｋｂｐ以上であり、前記断片長の上限は、例えば、１ｋｂｐ以下、０．８ｋｂｐ以下であり、その範囲は、例えば、０．３ｋｂｐ〜１ｋｂｐ、０．４ｋｂｐ〜１ｋｂｐ、０．４ｋｂｐ〜０．８ｋｂｐ、０．５ｋｂｐ前後（例えば、０．５±０．１ｋｂｐ、０．５±０．０５ｋｂｐ）である。
【００３１】
また、前記第３の変異ＦＬＣ遺伝子は、前述のように欠失変異遺伝子であるため、例えば、前記プライマーセット３で第３の正常ＦＬＣ遺伝子を増幅した断片よりも、短い断片が得られる。前記第３の変異ＦＬＣ遺伝子は、例えば、プライマーセット３で、断片が増幅される遺伝子であり、前記断片長の下限は、例えば、１００ｂｐ以上、１２０ｂｐ以上であり、前記断片長の上限は、例えば、１８０ｂｐ以下、１７０ｂｐ以下であり、その範囲は、例えば、１００〜１８０ｂｐ、１００〜１７０ｂｐ、１２０〜１７０ｂｐ、１５０ｂｐ前後（例えば、１５０±１０ｂｐ）、１４０ｂｐ前後（例えば、１４０±１０ｂｐ）である。他方、前記第３の正常ＦＬＣ遺伝子は、例えば、前記プライマーセット３で増幅した場合、前記第３の変異ＦＬＣ遺伝子よりも長い断片が増幅される遺伝子であり、前記断片長の下限は、例えば、１９０ｂｐ以上、前記断片長の上限は、例えば、３００ｂｐ以下、２５０ｂｐ以下、２３０ｂｐ以下であり、その範囲は、例えば、１９０〜３００ｂｐ、１９０〜２５０ｂｐ、２００ｂｐ前後（例えば、２００±１０ｂｐ）である。
【００３２】
前記第１の変異ＦＬＣ遺伝子において、挿入された塩基対の塩基配列は、特に制限されず、例えば、下記（ａ）のポリヌクレオチドである。前記（ａ）のポリヌクレオチドは、例えば、下記（ａ１）、（ａ２）、または（ａ３）のポリヌクレオチドである。前記（ａ２）および前記（ａ３）は、それぞれ、前記アブラナ科植物の極晩抽性に関して前記（ａ１）と同等の機能を有するポリヌクレオチドである。前記（ａ１）のポリヌクレオチドは、例えば、後述する受託番号ＦＥＲＭ  ＢＰ−２２２５９で寄託されたアブラナ科植物から得ることができる。
（ａ）  下記（ａ１）、（ａ２）、または（ａ３）のポリヌクレオチド
（ａ１）配列番号１０の塩基配列からなるポリヌクレオチド
（ａ２）配列番号１０の塩基配列において、１もしくは数個の塩基対が欠失、置換、挿入および／または付加された塩基配列からなるポリヌクレオチド
（ａ３）配列番号１０の塩基配列に対して、８０％以上の同一性を有する塩基配列からなるポリヌクレオチド
配列番号１０
5'-GCCCTAATTTGTAAACGCTCCCAGGCACATATTACGAGGCCGCCGCACTTCATCTTCCCCCTCGACGCCGGCGGCGGATCTGCTTGCCGGCGTCGCCATCCTTCCTTTTCTCTCATGTCTAGCTTCATCGTCCTCATCATGTATCTCGTTTTCCTCCATTTTCGTCATCAAATCCCTCCGCCACCTGGCAAAAACCCACCCGGAAATCCTATTTTTATTTCTCTTCTTTCCCCGCTTCGTTCTTCGTTTACTTGGTTCACACCCTCTATCTCCGTTTCGTTACTGTACGCTACTACCTACAACGCCTACGCCGTCATCACTACCTACCTACTACGCCGTCGTCACTACCTACCTACTCGCCGTCGTCACTACCCGCATCCCGTTTACACCGTACGTCACTACCCCATCCCGTCTCACCGTCGTCACTACCCCCATCCCGCCTCGCCGTCGTCACTTACTACATCTCGTCTCGCCGCCGTCACCTCCTCCATCTCGCCTCGCCGCCGCTCTTCCATCTCGCCTCGCCGCCGCTCCTCCATCACGTCTCGACTTTGCTTCCCCAGTTCGTCTTGCCGCCGTTACCTTCCAAGCGCATCGTTGAGACCGCGACTCCACCTAGTTCGAGCGGAAACCCCGGAGCTTCTCAGTCTGAGCGTGGGCCCAACAGAGTCATTCATTGTTCTGTGGCCGCCGCACCTCCGCCTGCTCTCCTCCTCCGACTGGAACGAGCTAGGTTCAGACAAGGAGTCCGCCGCTCTGCTGTGCTTTTTCACCCCTTGATAGCTGCCTCTCCGGTCTTTCTACCACAGACTTTATACCTGACAATCGAGGCAGGCCTATCTAGCCCAAGGTTTCTATGGAGCTAAAGTTACATTGTCTTAATCTCATTCTCCTAGTGACCGCCGGATCTATTGTGCAAGAGTGTTGTTTCGCCAGGTTAACTCATTATTATTTCACCGATGCGACTCTATCACACTACGCCGTCTCAAGCATCGACGGTTCTTCACATGGCCGGACCTATGGCCCTCCCATTCTCCTCGTCGCTAGAACTACTGTGCAAGAGTGTAGATTCGCCAGATCTATAAACTCCATCACCGTTGCGAGTCCATCACATTATGCCGTCTCAAGCATCGACGGTTCTTCACAGAGTCAACTATACGACCTAACTGAAACTGCTATCCTCAACAGAGGTTCCCCATGGAATATTACACCAACTCAATCACTGTACTTCAACTACAACTCAGATGGTCTATGCCTCATCTCCAAGTTGACAGGTTCCGTAAATCAGCCTTTCAGACTCGGTTTCACAAAAGCTCGCGTACCCCGGCACGGTAATGTTGGTGTTAGATGCTTTGATTTGACCAAAGTTCTGGCTGTATCATCGTATCCAGTTAACCTCCTCTCTATTGGCTGCTCTGAAGCAAGTATTGGTATTTTTGAGACTCACCTAGTCTCATCATCTTCCTCACGGGATAGTTATGTTCTTCATTGTACTTGAGATTCACCCAGTCTCTTCAGTGAGTTTTGCCGGTTTCAGAGTTAATCATGGTTGTTTCAATGCCAAATCAAGTCAGTTAGGACTTCATATCCTCGATGAGTATGTTGCATACGGATCTGGAGCTTCTCACCAAAAGTTCTTGCCAGCCAACATTCCAATCTCAACGGTGCATCAACGTCGTTTCGACTATCATCAATTGTTCTATGAAACAATAGTTTTTGGACCTCAAGTGAAGTATCTCTCTGGGTTCCTTCACTCCTTAAACATATCTATCTCTCTTGTTGTAGTGTTTGTTTTTCAGCTTGTTGCCGTTGAGTTTTTCTTCGGTTGTACTTTTTAAGTTTCTCGGACCGTTAGATTAATATAATCATTCAGTTGACAAAAAAAAAAAAAAAAATATAGATGATTTTCT-3'
【００３３】
前記（ａ２）のポリヌクレオチドにおいて、前記「１もしくは数個」は、例えば、１〜３８２個、１〜２８７個、１〜１９１個、１〜９６個、１〜７７個、１〜５８個、１〜３９個、１〜２０個、１〜１０個、１〜５個、１個、２個、３個、または４個である。
【００３４】
前記（ａ３）のポリヌクレオチドにおいて、前記「同一性」は、例えば、８０％以上、８５％以上、８９％以上、９０％以上、９５％以上、９６％以上、９７％以上、９８％以上、９９％以上である。前記「同一性」は、２つの塩基配列をアライメントすることによって求めることができる（以下、同様）。
【００３５】
前記第２の変異ＦＬＣ遺伝子において、挿入された塩基対の塩基配列は、特に制限されず、例えば、下記（ｂ）のポリヌクレオチドである。前記（ｂ）のポリヌクレオチドは、例えば、下記（ｂ１）、（ｂ２）、または（ｂ３）のポリヌクレオチドである。前記（ｂ２）および前記（ｂ３）は、それぞれ、前記アブラナ科植物の極晩抽性に関して前記（ｂ１）と同等の機能を有するポリヌクレオチドである。前記（ｂ１）のポリヌクレオチドは、例えば、後述する受託番号ＦＥＲＭ  ＢＰ−２２２５９で寄託されたアブラナ科植物から得ることができる。
（ｂ）  下記（ｂ１）、（ｂ２）、または（ｂ３）のポリヌクレオチド
（ｂ１）配列番号１１の塩基配列からなるポリヌクレオチド
（ｂ２）配列番号１１の塩基配列において、１もしくは数個の塩基対が欠失、置換、挿入および／または付加された塩基配列からなるポリヌクレオチド
（ｂ３）配列番号１１の塩基配列に対して、８０％以上の同一性を有する塩基配列からなるポリヌクレオチド
配列番号１１
5'-TTTTTTGTAACACAGCTTATATTATAAAAGGTTCAAGGAGCATCATCGGTTACAACTGAAGTAAAAGATTCCGGAGCCATGCTCGACGGTCTAACGAAGCTAAAAGACATTACAAAACAACTAAAGATAAAACCATCTAGGGGCGAGTCATGCTCAGCGAAATGAAGAAACCCGAAAGGAAGCTCCACTTTTGATCCCATGGCGATTGTTCCTAAGAACAATTGATAGTCGAAAACGACGTTGATACACCTTGTGTTGTTGACTGGCCAGAGCTTAAGGTGAGAAGCTCTAGAAACGTAGACGACACTGAAAGTACGGAGTCCTATCTGACTTGATTTGGCGCTGAAACAAGAACACTTAGCTTTAAACCCAACACAGCTTACCGAAGAGACTAGGTGAATCTCAAGCTCTAGCTTCACCTCCAAAGAGGTGCTTAGGATGAAGATTGATGACGGAGATGAAAGTTTAATTGGGTCCAAACCTCGGAACTCGACATTACCGTGTTGAGCCCAACAAGTTATACCCAAAAGAGAACTAATCATACAGTCATCGTACTCATTCAACCTGAACGTGTGTGAGCAAACATCGGATAAAAGGTAAAAAGCTTTGAGGAGATTGGGTCTTCGTGTACCAACTCCGGTTTGAAGGTCGCATAGTTGACTCTGTGAAGAACCGTCGATGCTTGAGACGGCGTAATGTGATAGAAGCGCAGCTGTGACATAATAGCAAACAAATCTGGCGCGTCTACACTCTTGCACAATAGTCCTGGCGACGAGGAAAAAGGTGAGAGGATCACGCCGTGAAGAACCGTCGATGCTTGAGACGGCGTAATGTGTTGGAAACGCAACGTTGACATAGTAACAAGCAAAACTGGCGAGTCCACATTCTTGCACGGTAGATCCGGTGATAAGGCGAGTGGTAAAAGAGGCGACGAAAGGGGCGAGAGAGGTGGTGGCGGTTGATACTCTCTTCATCTCCGGTTCCATAAATGTATATGAGACTAGATACTGCAGTATGGATGAATAAATCGGAGGGATTCGTCGAAGGAGGCCGTAGTGGTGAAGCTTTAGAACTCGTGAAGCGTAGGCCTGTGGAGACTCGACGGAGCTTGGCGGATTTACAGCGACTGAGAGACTCACAGATCTGTTGAGTCCAACCTCATGCTTAGAAGATCCAGCTTTCTCCCTTGAACTAAGCGGAGTAAGAGCGACGACGGTGAGGCGATGAGCAGCGGCGACGGTAGGGAGCCGAACAGATCCTGTGAACTCACACCGGAACTGAGAAGATTTTACGGTGAGGCGCGGAGTGACTTCGACGGTGACACTAGAAGATGAAACAATGTCGTTGAAAGATTTGACTTTCAGTGTTATTGACATACAGCTTTCTTCCTGGATGCACGATGTCCTCAAGATATCAGAGCAGCAGCTATGGTGAGGGGAGATGAAGCTTGAGCAGGTTGACCCAAAGATATGACTCATCTCCATCAGAGAAGTGAGTAGATCTAGAGGTGATGAAACAAGGACTGGAGAAAACGAGAACAGAGCGTTGGAGAGGATGACCTGAGAAGAGGAACAGTGGCGACGCCGGCAAGCTAGGCCGGCAAGAGGAACAGTGTCTCGATGAGCT-3'
【００３６】
前記（ｂ２）のポリヌクレオチドにおいて、前記「１もしくは数個」は、例えば、１〜３２６個、１〜２４４個、１〜１６３個、１〜８２個、１〜６６個、１〜４９個、１〜３３個、１〜１７個、１〜８個、１〜４個、１個、２個、または３個である。
【００３７】
前記（ｂ３）のポリヌクレオチドにおいて、前記「同一性」は、例えば、８０％以上、８５％以上、８９％以上、９０％以上、９５％以上、９６％以上、９７％以上、９８％以上、９９％以上である。
【００３８】
前記第３の変異ＦＬＣ遺伝子において、欠失された塩基対の塩基配列は、特に制限されず、例えば、下記（ｃ）のポリヌクレオチドである。前記（ｃ）のポリヌクレオチドは、例えば、下記（ｃ１）、（ｃ２）、または（ｃ３）のポリヌクレオチドである。前記（ｃ２）および前記（ｃ３）は、それぞれ、前記アブラナ科植物の極晩抽性に関して前記（ｃ１）と同等の機能を有するポリヌクレオチドである。前記（ｃ１）のポリヌクレオチドは、例えば、正常ＦＬＣ３遺伝子を有するアブラナ科植物（例えば、後述する固定系統７６−１系統）から得ることができる。
（ｃ）  下記（ｃ１）、（ｃ２）、または（ｃ３）のポリヌクレオチド
（ｃ１）配列番号１２の塩基配列からなるポリヌクレオチド
（ｃ２）配列番号１２の塩基配列において、１もしくは数個の塩基対が欠失、置換、挿入および／または付加された塩基配列からなるポリヌクレオチド
（ｃ３）配列番号１２の塩基配列に対して、８０％以上の同一性を有する塩基配列からなるポリヌクレオチド
配列番号１２
5'-CACAATCTTTGTGTGCATATTCGATTATGATGTAAATATTTCTTATAAAGCATCAGA-3'
【００３９】
前記（ｃ２）のポリヌクレオチドにおいて、前記「１もしくは数個」は、例えば、１〜１２個、１〜９個、１〜６個、１〜３個、１個、または２個である。前記（ｃ２）のポリヌクレオチドにおいて、１もしくは数個の塩基対が欠失されている場合、前記塩基対の欠失は、例えば、連続した塩基対の欠失および不連続の塩基対の欠失のいずれでもよく、好ましくは、連続した塩基対の欠失であり、特に、５’末端および３’末端の少なくとも一方の塩基対から連続した塩基対の欠失であることが好ましい。また、前記（ｃ２）のポリヌクレオチドにおいて、１もしくは数個の塩基対が付加されている場合、前記付加された塩基対は、例えば、前記正常ＦＬＣ３遺伝子における配列番号１２の塩基配列と対応する塩基配列の５’末端の塩基対から５’側に連続する１もしくは数個の塩基対、および３’末端の塩基対から３’側に連続する１もしくは数個の塩基対の少なくとも一方と同じであることが好ましい。具体的には、配列番号１２の塩基配列の５’末端に１もしくは数個の塩基対が付加される場合、前記付加された１もしくは数個の塩基対の塩基配列は、前記正常ＦＬＣ３遺伝子における配列番号１２の塩基配列と対応する塩基配列の５’末端の塩基対から５’側およびに連続する１もしくは数個の塩基対の塩基配列と同じであることが好ましい。また、配列番号１２の塩基配列の３’末端に１もしくは数個の塩基対が付加される場合、前記付加された１もしくは数個の塩基対の塩基配列は、前記正常ＦＬＣ３遺伝子における配列番号１２の塩基配列と対応する塩基配列の３’末端の塩基対から３’側およびに連続する１もしくは数個の塩基対の塩基配列と同じであることが好ましい。
【００４０】
前記（ｃ３）のポリヌクレオチドにおいて、前記「同一性」は、例えば、８０％以上、８５％以上、８９％以上、９０％以上、９５％以上、９６％以上、９７％以上、９８％以上、９９％以上である。
【００４１】
本発明のスクリーニング方法において、前記選抜工程は、前述のように、親系統として、アブラナ科植物の候補群から、極晩抽性マーカーセットとして少なくとも２種類の変異ＦＬＣ遺伝子をホモ接合型で有する植物を選抜する工程である。ここで、前記極晩抽性マーカーセットの確認方法は、特に制限されず、例えば、前記各変異ＦＬＣ遺伝子の配列のシーケンシングでもよいし、制限酵素断片長多型（ＲＦＬＰ）法でもよいし、プライマーを用いた遺伝子増幅による増幅断片長の解析でもよいし、前記各変異ＦＬＣ遺伝子にハイブリダイズするプローブを用いた解析等でもよい。前記増幅断片長の解析の場合、例えば、前述のようなプライマーセットを用いて、候補群のアブラナ科植物について、遺伝子増幅を行い、得られた増幅断片長によって、前記極晩抽性マーカーセットを有するか否かを判断することができる。
【００４２】
前記プライマーセットは、前記正常ＦＬＣ遺伝子において、挿入および変異が生じる領域を挟むように設定すればよく、例示した前記プライマーセットの配列には限定されない。すなわち、前記正常ＦＬＣ遺伝子の配列情報から、例示した前記プライマーセットで増幅される領域を含むようなプライマーセットを設計可能である。
【００４３】
前記プライマーセット１、２および３は、中でも、ダイコン属の場合、ＦＬＣ１遺伝子、ＦＬＣ２遺伝子およびＦＬＣ３遺伝子について、それぞれ、前記変異ＦＬＣ１遺伝子、前記変異ＦＬＣ２遺伝子および前記ＦＬＣ３遺伝子をホモ接合型で有しているか否かを判別する場合に使用することが好ましい。
【００４４】
以下に、アブラナ科植物がダイコン属である場合を例にあげて説明するが、本発明は、これらの例示には制限されない。
【００４５】
アブラナ科植物がダイコン属の場合、例えば、前記第１の変異遺伝子は、正常ＦＬＣ１遺伝子に対する挿入変異遺伝子であり、前記第２の変異遺伝子は、正常ＦＬＣ２遺伝子に対する挿入変異遺伝子であり、前記第３の変異遺伝子は、正常ＦＬＣ３遺伝子に対する欠失変異遺伝子である。以下に、２種類のダイコン属の正常ＦＬＣ１遺伝子（ＲｓＦＬＣ１遺伝子）、正常ＦＬＣ２遺伝子（ＲｓＦＬＣ２遺伝子）および正常ＦＬＣ３遺伝子（ＲｓＦＬＣ３遺伝子）の各第１イントロンの配列を例示するが、本発明は、これらの記載には制限されない。第１のダイコン属の場合、前記変異ＦＬＣ１遺伝子は、例えば、前記正常ＦＬＣ１遺伝子の第１イントロン（配列番号７）の６５０〜１２９３番目（下記配列の下線部）の領域内に挿入変異を有し、前記変異ＦＬＣ２遺伝子は、例えば、第１イントロン（配列番号８）の１４１〜６８８番目（下記配列の下線部）の領域内に挿入変異を有し、前記変異ＦＬＣ３遺伝子は、例えば、第１イントロン（配列番号９）の８０１〜９９６番目（下記配列の下線部）の領域内に欠失変異を有する。第２のダイコン属の場合、前記変異ＦＬＣ１遺伝子は、例えば、前記正常ＦＬＣ１遺伝子の第１イントロン（配列番号１６）の６５６〜１２９９番目（下記配列の下線部）の領域内に挿入変異を有し、前記変異ＦＬＣ２遺伝子は、例えば、第１イントロン（配列番号１７）の１４１〜６８９番目（下記配列の下線部）の領域内に挿入変異を有し、前記変異ＦＬＣ３遺伝子は、例えば、第１イントロン（配列番号１８）の７９６〜９９１番目（下記配列の下線部）の領域内に欠失変異を有する。
【００４６】
第１のダイコン属  正常ＦＬＣ１遺伝子の第１イントロン（配列番号７）
RsFLC1(1st  intron)
5'-GTACGACTTTTCCTATTCTGGCTTTTCCATTTTTTATTGTTAATTACTAACCTTTTCAGAAAAAATATTAATTATTTTTTAAAAAAATATTTCCTGCGAATCTTATGTGGTTTTATTGGTTTGTGTGTTGCTACTGTGTTTTCTATGGCCATGAGAGATACATGAGACAACCAAATCAAAGGAAGAACAATTTTGTGATGAGCTAAAGCTTCTTACTTTTTTTTTCTTTTCTCTCTCTTCTTCTTCTTCTTCTTACAATTTTTTCTGCATGGATTTTTTTTTATTTGAATTTTTTTGCATGTCCTTCAAGATCCTTTGACACGCTGTGATGCATACTTGATGCTACTTTGTGAAGTTTATATCCATCTTTGATTGTTAGTTCATCAGCTGTTTAGCTTTAGGAACTCCTTTTGTTTCAGTAGAGTTTTATGTCAAAATAATTATTGATTCATGTTTCTCTTTGTAGAGTAATTAAATCCATTGGATCTCTCAGATTTGTATGCAATGAAATGCACTTCGGGGAGATCTATAGAATGGCTGTGAGGTTGCTGCTGAATAATAGATAAAGAGTTTTGTAGATTCTTCTAGATCAATTCTTGTAATTTCTCTCTTTACCATGAGGTTATTACTTGAAGCTTACCAATATAAAGTTTCCTAACTGATTCTTAATTTCCATAAAGAATTTTGGTGTAGCTTCTAGAAAACACAGACTCACAGTTACTTACTTATTTGATCCAGTGTCGATTGCGGTTCTTTTAATCGCAAGCGTTGTGTGCATATATAACTCTTTGTCCCAGACATAATGTACACTAATTGGTCTACTTTTAGACTAATTAAATTTTCTCTCGGATTTTCGTACAATACAATGCAAATCCATGTAGAAATAATAAGTGGGATATTATTGGTGGTATATTAATAGATCAACAATTAGGCTGGTTTATAGGTATGCGCCGTATGCCAGTGTAAATGATTTTAGGTATAGATGATTTTCTAGAAGTTTTCTCTCCCCTTTATTGATTTGTTGCTATAATATTATCCCAGGCTTTAGTTTCGCACCCTAGTAATTACGGTACATGCATATGGTACATCATGTAATTGGATTATAGCTTTTAATCTTTGTAGCTTTGTTCGTTTGATATGCCAACCAACAAAATAGTAGCTTTTGTTATGGAAATGTACAATCACACAACCTTGCATCTCGTTGTGTTTGTTGCTGTGGAAATTGACAATAACATAACGTGTTTCTTTTCGTGCCTTTTGGAAACCAACCACCTCACCAAAACCTTTTTCTTCATGGGAAAATTCCAACACCTTTCAGAATTTAAAATTTGGTGTAGTGTTTACTTAACCCTATAATATTAACCAACTGGTTGTAGTGGTTTGGCGATGTTAGTGAAGATCGCAGGTCATGTCTCACTTAATTAATACTTGTTCACTCCTCAGACTGAATGTTAGGTCAAGCCTTGGAATAGCTAGTCGAGATTAGTTGTATGAGCAAAAGAAGAAAGGCTTTTGGAACCTGGAATTTGACCTTTGGTTACTTATTAACTCATTTGTGCATCCTTGATTTTGTTGCAAAGAGCTTAACTCCACGGTGGAATTGAAACCTAGTTACAACTGTTGAATTAGTGAACTGTTTTTCAAATTTACTTGGGACTTCTATAAAGTCATAAATAGGAAAAAAAATCTGTGTGCAACTGATGCTTGTATGGATTACCTTTACACCTTAATAGTTTGTTTGCATTTACATTTAGATTGCGTTTCCATGTTYTAGTTTTYTAGTTACTTAAAATGTCCGAAGCACAAACCTGTTGGGAAAAGAAACAATTGGGGCCTTAGTAGCAAAATGTCTTCCCTTTGAGACTAGGGGGTGTGTCTCTTAGTTTTAAGTGAATCAAAGCCAGTATAATTATAAATGGATTAATAGGTTAAAAGATAACATGTGAAATCTTTAATTTTATTACAATTTTTTACATTGAGTGGGAATTTCCTTTTCATTATAATATACATGTAAAGCCACAAGATTCATGAGACAACCAAACTTAGGGTAATTCCTGGTAAATATTAGAATTTTTTCTTTTCCTTAGAAGAGATTAAAAGATCATGTGGCCACTAAAATATTGCTTATGGGAGTGAGAGGTATAAAATAAGAATGGAAAACCAAATGTGGTTCTGCTTAAACGTAAATACTAGTTTTCTAGAATGTTAATGAAAATTATATATGTGAATTTTTTTTGTCCTGATTGTCTCTTCTGTGCCTTATACATGTTTCATAGTTTCAAGTGCGGCTTTCGACGGTTAGCTGGTACTTTTGATCCTAACATACTTTGATATATATTTTTGTCTTCTCTCCAG-3'
【００４７】
第１のダイコン属  正常ＦＬＣ２遺伝子の第１イントロン（配列番号８）
RsFLC2(1st  intron)
5'-GTATTGACTTCTCCACTTCTGGGTTTTACTTTATTTGCCCTTTTAGCTTCCGTTCCTCTTCTCTTTACTATTTATAGGAAAATAAAATAAAGTACAAGTAAAATAAAATAAAACAATTAAAAGACACTTTGATTTTTCCGGCAGATCTCTTGTGGATTTCTCGGTTTTGTGTTTGTTATTGTTTCTTCTATGGCCATGAGAGATACATGAGGTAACCAGATTTGAGGAAGAACAATGTCTCGATGAGCTAAAGCTTCTTACTTTCTTCATTTCTTCTCTCCCACAGTCCCACTCTCTCTCAATCTTTTTCTGCATGGATTTTTTTTATTTGTAAAAAAAACTGCATGTCATTCAAGGTCTTTTTTTGATAAGCTGTGACGCAGACTTGATGTTGTGGTGTGAAGTTTCAATACATCTTTGATTTTTCAATTGGATTTAGGATTCCTTAAGTATTTTAAGAGTTCTTTATCAGAATAAGTATTGGTGTTTTTCTTTTTAGAGTAATTTAAGTGAACGGATCTCTTGATTTGTAATGCAATGCACTTCGGGGAGATCTATAAAATTGATGTAGGACTAATGCAAAAATTTACCACGGATTAATGCAATTCTCTCTTAAAGAGTTTTAATTTGAATGTATGCCACATTGTGTGGCAAATATGAATCCTTAGAACTCCTTGAGGATCTGAAGAGTTCTTTACAAGAATATAAGTTATTATTGATGTTTCTATTTCTAGAATAATTTAAGTCAATGGATCTCTTGGATTTGTATGCATTACACTTCGGGGAGGTCTATAAAATTGATGTAGGACTAATGCGGAATAATAGATCAAGAGTTTAAATTTGAATGTATATACGTCACATTGTGCAGCCATTGATCTAAAAGATAATTGTATATCTTCAAAAGAATCTCTCTCTTTACCACGGATTTATTGCTTGAAGGTTATCCAAATTATAAGGTTACTAGTTGGTTCTTAGTTTTCAGATATATATATGTAAAGTAATTTTGAATTTTGGTAGGTTTAAGAAAACTCATCCTCACAATTAGTACTTAACCACACGTATTCTACACTAATTAGGTTCTCCAAAATTTCCATTAGAATGGGGTTGATCAAGGATTAGCTAGTAGTTTTGATCCTAACTTGTTTTGTTTTGTCTCCTCTTCAG-3'
【００４８】
第１のダイコン属  正常ＦＬＣ３遺伝子の第１イントロン（配列番号９）
RsFLC3(1st  intron)
5'-GTATGACTTCTCTTCTTCGGTGTCTCCCTTTATTTGCCTTTTGAGCTTCTGTTTACTTTCTCTTCACTTTTCTGATAAAATAATTAAAGATATAATAAAATAATTAAAATATAATAAGATAATTAAAAGACACTTTGATTTTTCCGACAAATCACTTGTGGATTTCTCGATTATGTGCTTTTTTTTTTGTTTCTTCTATGGCCATATACATGAGATAACCAAATCTGAGGAAGAACAAGGTCGTGATGAGCTAAACCTTCTTACTTTCTTCATTTTTCTCTCTTTTTTTTTCTTCTTTTGATTTTTCTGCATGGATTTTATTTTGTTTGTAAAAATTTGCATGTCCTCCAAGATCCTTCTGAAACGTTGTGATGCATACTTGATGTTGTCTAGTGAAGTTTCCAAGACCGTCTTTGATTGTTAGTTCATCAGTTGTTGGTTGTCCTTAGCTAGGGATTCCTTATGAGAAATAATCGATTACTGATTTTTTTATCATAGTGATTATTTATTTGCGTTTTCTGTTTTAGAGTAATTAAAATAGTTGGATCTGTCAGATTTTTGTGCAATGCAGTCCACTGCACTTCGAAGAGATCTATAAAATCGATATAGGGTTCATGATGCTGAATAGTGAATAGTAGATCAAGAGTTTTGATCTGAATGTAAGCGACATTGTGCAGCTATTGACTAAAAGATAGTTGCAGATCTTCAAAAAAATGTTATCTGTTTAACATGGATTTATGACTTCGAGATTATACAAATTGTAAATTTTCTAATTTATTCTTAATTACATTTATAAGATAGTAGTTTTGAAATTTTGTTAGGCTTAAGAAAACTCAGCCTCACATTTAGTACTTAATTACCGCACATATGCTACACTATTTATGTGATAATGTATCTATTTCTATTCTTCAAT[CACAATCTTTGTGTGCATATTCGATTATGATGTAAATATTTCTTATAAAGCATCAGA]GGATGCTAAAAATAATTAAGAAGTGGTAATTCAAATGTGCCGCTGCTTGAACATGATTACTACAGTTTTTTCTGAAGTTTTAGCTAATCTTAGGGGCCGGGAAATTAACAGTAAAAAAAAAAATCTCTTCTGATGTTTCATAGATTCCAATTGTGTTTCCGTGGTTAACTAGTAGTTTTGTTCTTAACAATATTTTTGTTTTTTCTTCTCCAG-3'
【００４９】
第２のダイコン属  正常ＦＬＣ１遺伝子の第１イントロン（配列番号１６）
RsFLC1(1st  intron)
5'-GTACGACTTTTCCTATTCTGGCTTTTCCATTTTTTATGTGTTAATTACTAACCTTTTCAGAAAAAATATGAATTATGTTTTTAAAAAAATATGTTCCTGCGAATCTTATGTGGTTTTATTGGTTTGTGTGTTGCTACTGTGTTTTCTATGGCCATGAGAGATACATGAGACAACCAAATCAAAGGAAGAACAATTTTGTGATGAGCTAAAGCTTCTTACTTTTTTTTTCTTTTCTCTCTCTTCTTCTTCTTCTTCTTACAATTTTTTCTGCATGGATTTTTTTTTATTTGAATTTTTTTGCATGTCCTTCAAGATCCTTTGACACGCTGTGATGCATACTTGATGCTACTTTGTGAAGTTTATATCCATCTTTGATTGTTAGTTCATCAGCTGTTTAGCTTTAGGAACTCCTTTTGTTTCAGTAGAGTTTTATGTCAAAATAATTATTGATTCATGTTTCTCTTTGTAGAGTAATTAAATCCATTGGATCTCTCAGATTTGTATGCAATGAAATGCACTTCGGGGAGATCTATAGAATGGCTGTGAGGTTGCTGCTGAATAATAGATAAAGAGTTTTGTAGATTCTTCTAGATCAATTCTTGTAATTTCTCTCTTTACCATGAGGTTATTACTTGTTGAAGCTTACCAATATAAAGTTTCCTAACTGATTCTTAATTTCCATAAAGAATTTTGGTGTAGCTTCTAGAAAACACAGACTCACAGTTACTTACTTATTTGATCCAGTGTCGATTGCGGTTCTTTTAATCGCAAGCGTTGTGTGCATATATAACTCTTTGTCCCAGACATAATGTACACTAATTGGTCTACTTTTAGACTAATTAAATTTTCTCTCGGATTTTCGTACAATACAATGCAAATCCATGTAGAAATAATAAGTGGGATATTATTGGTGGTATATTAATAGATCAACAATTAGGCTGGTTTATAGGTATGCGCCGTATGCCAGTGTAAATGATTTTAGGTATAGATGATTTTCTAGAAGTTTTCTCTCCCCTTTATTGATTTGTTGCTATAATATTATCCCAGGCTTTAGTTTCGCACCCTAGTAATTACGGTACATGCATATGGTACATCATGTAATTGGATTATAGCTTTTAATCTTTGTAGCTTTGTTCGTTTGATATGCCAACCAACAAAATAGTAGCTTTTGTTATGGAAATGTACAATCACACAACCTTGCATCTCGTTGTGTTTGTTGCTGTGGAAATTGACAATAACATAACGTGTTTCTTTTCGTGCCTTTTGGAAACCAACCACCTCACCAAAACCTTTTTCTTCATGGGAAAATTCCAACACCTTTCAGAATTTAAAATTTGGTGTATTGTTTATTAACCCTATAATATAACGTGTTTACTTAACCCTATAATATTAACCAACTGGTTGTAGTGGTTTGGCGATGTTAGTGAAGATCGCAGGTCATGTCTCACTTAATTAATACTTGTTCACTCCTCAGACTGAATGTTAGGTCAAGCCTTGGAATAGCTAGTCGAGATTAGTTGTATGAGCAAAAGAAGAAAGGCTTTTGGAACCTGGAATTTGACCTTTGGTTACTTATTAACTCATTTGTGCATCCTTGATTTTGTTGCAAAGAGCTTAACTCCACGGTGGAATTGAAACCTAGTTACAACTGTTGAATTAGTGAACTGTTTTTCAAATTTACTTGGGACTTCTATAAAGTCATAAATAGGAAAAAAAATCTGTGTGCAACTGATGCTTGTATGGATTACCTTTACACCTTAATAGTTTGTTTGCATTTACATTTAGATTGCGTTTCCATGTTCTAGTTTTCTAGTTACTAAAATGTCCGAAGCACAAACCTGTTGGGAAAAGAAACAATTGGGGCCTTAGTAGCAAAATGTCTTCCCTTTGAGACTAGGGGGTGTGTCTCTTAGTTTTAAGTGAATCAAAGCCAGTATAATTATAAATGGATTAATAGGTTAAAAGATAACATGTGAAATCTTTAATTTTATTACAATTTTTTACATTGAGTGGGAATTTCCTTTTCATTATAATATACATGTAAAGCCACAAGATTCATGAGACAACCAAACTTAGGGTAATTCCTGGTAAATATTAGAATTTTTTCTTTTCCTTAGAAGAGATTAAAAGATCATGTGGCCACTAAAATATTGCTTATGGGAGTGAGAGGTATAAAATAAGAATGGAAAACCAAATGTGGTTCTGCTTAAACGTAAATACTAGTTTTCTAGAATGTTAATGAAAATTATATATGTGAATTTTTTTTGTCCTGATTGTCTCTTCTGTGCCTTATACATGTTTCATAGTTTCAAGTGCGGCTTTCGACGGTTAGCTGGTACTTTTGATCCTAACATACTTTGATATATATTTTTGTCTTCTCTCCAG-3'
【００５０】
第２のダイコン属  正常ＦＬＣ２遺伝子の第１イントロン（配列番号１７）
RsFLC2(1st  intron)
5'-GTATTGACTTCTCCACTTCTGGGTTTTACTTTATTTGCCCTTTTAGCTTCCGTTCCTCTTCTCTTTACTATTTATAGGAAAATAAAATAAAGTACAAGTAAAATAAAATAAAACAATTAAAAGACACTTTGATTTTTCCGGCAGATCTCTTGTGGATTTCTCGGTTTTGTGTTTGTTATTGTTTCTTCTATGGCCATGAGAGATACATGAGGTAACCAGATTTGAGGAAGAACAATGTCTCGATGAGCTAAAGCTTCTTACTTTCTTCATTTCTTCTCTCCCACAGTCCCACTCTCTCTCAATCTTTTTCTGCATGGATTTTTTTTTATTTGTAAAAAAAACTGCATGTCATTCAAGGTCTTTTTTTGATAAGCTGTGACGCAGACTTGATGTTGTGGTGTGAAGTTTCAATACATCTTTGATTTTTCAATTGGATTTAGGATTCCTTAAGTATTTTAAGAGTTCTTTATCAGAATAAGTATTGGTGTTTTTCTTTTTAGAGTAATTTAAGTGAACGGATCTCTTGATTTGTAATGCAATGCACTTCGGGGAGATCTATAAAATTGATGTAGGACTAATGCAAAAATTTACCACGGATTAATGCAATTCTCTCTTAAAGAGTTTTAATTTGAATGTATGCCACATTGTGTGGCAAATTTGAATCCTTAGAACTCCTTGAGGATCTGAAGAGTTCTTTACAAGAATATAAGTTATTATTGGTGTTTCTATTTCTAGAATAATTTAAGTCAATGGATCTCTTGGATTTGTATGCATTACACTTCGGGGAGGTCTATAAAATTGATGTAGGACTAATGCGGAATAATAGATCAAGAGTTTAAATTTGAATGTATATACGTCACATTGTGCAGCCATTGATCTAAAAGATAATTGTATATCTTCAAAAGAATCTCTCTCTTTACCACGGATTTATTGCTTGAAGGTTATCCAAATTATAAGGTTACTAGTTGGTTCTTAGTTTTCAGATATATATATGTAAAGTAATTTTGAATTTTGGTAGGTTTAAGAAAACTCATCCTCACAATTAGTACTTAACCACACGTATTCTACACTAATTAGGTTCTCCAAAATTTCCATTAGAATGGGGTTGATCAAGGATTAGCTAGTAGTTTTGATCCTAACTTGTTTTGTTTTGTCTCCTCTTCAG-3'
【００５１】
第２のダイコン属  正常ＦＬＣ３遺伝子の第１イントロン（配列番号１８）
RsFLC3(1st  intron)
5'-GTATGACTTCTCTTCTTCGGTGTCTCCCTTTATTTGCCTTTTGAGCTTCTGCTTACTTTCTCTTCACTTTTCTGATAAAATAATTAAAGATATAATAAAATAATTAAAATATAATAAGATAATTAAAAGACACTTTGATTTTTCCGACAAATCACTTGTGGATTTCTCGATTATGTGCTTTTTTTTTGTTTCTTCTATGGCCATATACATGAGATAACCAAATCTGAGGAAGAACAAGGTCGTGATGAGCTAAACCTTCTTACTTTCTTCATTTTTCTCTCTTTTTTTTTCTTCTTTTGATTTTTCTGCATGGATTTTATTTTGTTTGTAAAAATTTGCATGTCCTCCAAGATCCTTCTGAAACGTTGTGATGCATACTTGATGTTGTCTAGTGAAGTTTCAAGCCGTCTTTGATTGTTAGTTCATCAGTTGTTGGTTGTCTTTAGCTAGGGATTCCTTATGAGAATAATCGATTACTGATTTTTTTATCATAGTGATTATTTATTTGCGTTTCTGTTTTAGAGTAATTAAAATAGTTGGATCTGTCAGATTTTTGTGCAATGCAGTCCACTGCACTTCGAAGAGATCTATAAAATCGATATAGGGTTCATGATGCTGAATAGTGAATAGTAGATCAAGAGTTTTGATCTGAATGTAAGCGACATTGTGCAGCTATTGACTAAAAGATAGTTGCAGATCTTCAAAAAAATGTTATCTGTTTAACATGGATTTATGACTTCGAGATTATACAAATTGTAAATTTTCTAATTTATTCTTAATTACATTTATAAGATAGTAGTTTTGAAACTTTGTTAGGCTTAAGAAAACTCAGCCTCACATTTAGTACTTAATTACCGCACATATGCTACACTATTTATGTGATAATGTATCTATTTCTATTCTTCAAT[CACAATCTTTGTGTGCATATTCGATTATGATGTAAATATTTCTTATAAAGCATCAGA]GGATGCTAAAAATAATTAAGAAGTGGTAATTCAAATGTGCCGCTGCTTGAACATGATTACTACAGTTTTTTCTGAAGTTTTAGCTAATCTTAGGGGCCGGGAAATTAACAGTAAAAAAAAAAATCTCTTCTGATGTTTCATAGATTCCAATTGTGTTTCCGTGGTTAACTAGTAGTTTTGTTCTTAACAATATTTTTGTTTTTTCTTCTCCAG-3'
【００５２】
前記正常ＦＬＣ１遺伝子の第１イントロンに挿入変異を有する前記変異ＦＬＣ１遺伝子としては、例えば、前記ＦＬＣ１遺伝子の第１イントロンが、下記（ｄ）のポリヌクレオチドである変異ＦＬＣ１遺伝子があげられる。前記（ｄ）のポリヌクレオチドは、例えば、下記（ｄ１）、（ｄ２）、または（ｄ３）のポリヌクレオチドである。前記（ｄ２）および前記（ｄ３）は、それぞれ、前記アブラナ科植物の極晩抽性に関して前記（ｄ１）と同等の機能を有するポリヌクレオチドである。
（ｄ）  下記（ｄ１）、（ｄ２）、または（ｄ３）のポリヌクレオチド
（ｄ１）配列番号１３の塩基配列からなるポリヌクレオチド
（ｄ２）配列番号１３の塩基配列において、１もしくは数個の塩基対が欠失、置換、挿入および／または付加された塩基配列からなるポリヌクレオチド
（ｄ３）配列番号１３の塩基配列に対して、８０％以上の同一性を有する塩基配列からなるポリヌクレオチド
【００５３】
配列番号１３（ダイコン属  変異ＦＬＣ１遺伝子の第１イントロン）
5'-GTACGACTTTTCCTATTCTGGCTTTTCCATTTTTTATTGTTAATTACTAACCTTTTCAGAAAAAATATAATTATTTTTTAAAAAAATATTTCCTGCGAATCTTATGTGGTTTTATTGGTTTGTGTGTWGCTACTGTGTTTTCTATGGCCATGAGAGATACATGAGACAACCAAATCAAAGGAAGAACAATTTTGTGATGAGCTAAAGCTTCTTACTTTTTTTTTCTTTTCTCTCTCTTCTTCTTCTTCTTCTTACAATTTTTTCTGCATGGATTTTTTTTTATTTGAATTTTTTTGCATGTCCTTCAAGATCCTTTGACACGCTGTGATGCATACTTGATGCTACTTTGTGAAGTTTATATCCATCTTTGATTGTTAGTTCATCAGCTGTTTAGCTTTAGGAACTCCTTTTGTTTCAGTAGAGTTTTATGTCAAAATAATTATTGATTCATGTTTCTCTTTGTAGAGTAATTAAATCCATTGGATCTCTCAGATTTGTATGCAATGAAATGCACTTCGGGGAGATCTATAGAATGGCTGTGAGGTTGCTGCTGAATAATAGATAAAGAGTTTTGTAGATTCTTCTAGATCAATTCTTGTAATTTCTCTCTTTACCATGAGGTTATTACTTGAAGCTTACCAATATAAAGTTTCCTAACTGATTCTTAATTTCCATAAAGAATTTTGGTGTAGCTTCTAGAAAACACAGACTCACAGTTACTTACTTATTTGATCCAGTGTCGATTGCGGTTCTTTTAATCGCAAGCGTTGTGTGCATATATAACTCTTTGTCCCAGACATAATGTACACTAATTGGTCTACTTTTAGACTAATTAAATTTTCTCTCGGATTTTCGTACAATACAATGCAAATCCATGTAGAAATAATAAGTGGGATATTATTGGTGGTATATTAATAGATCAACAATTAGGCTGGTTTATAGGTATGCGCCGTATGCCAGTGTAAATGATTTTAGGTATAGATGATTTTCTGCCCTAATTTGTAAACGCTCCCAGGCACATATTACGAGGCCGCCGCACTTCATCTTCCCCCTCGACGCCGGCGGCGGATCTGCTTGCCGGCGTCGCCATCCTTCCTTTTCTCTCATGTCTAGCTTCATCGTCCTCATCATGTATCTCGTTTTCCTCCATTTTCGTCATCAAATCCCTCCGCCACCTGGCAAAAACCCACCCGGAAATCCTATTTTTATTTCTCTTCTTTCCCCGCTTCGTTCTTCGTTTACTTGGTTCACACCCTCTATCTCCGTTTCGTTACTGTACGCTACTACCTACAACGCCTACGCCGTCATCACTACCTACCTACTACGCCGTCGTCACTACCTACCTACTCGCCGTCGTCACTACCCGCATCCCGTTTACACCGTACGTCACTACCCCATCCCGTCTCACCGTCGTCACTACCCCCATCCCGCCTCGCCGTCGTCACTTACTACATCTCGTCTCGCCGCCGTCACCTCCTCCATCTCGCCTCGCCGCCGCTCTTCCATCTCGCCTCGCCGCCGCTCCTCCATCACGTCTCGACTTTGCTTCCCCAGTTCGTCTTGCCGCCGTTACCTTCCAAGCGCATCGTTGAGACCGCGACTCCACCTAGTTCGAGCGGAAACCCCGGAGCTTCTCAGTCTGAGCGTGGGCCCAACAGAGTCATTCATTGTTCTGTGGCCGCCGCACCTCCGCCTGCTCTCCTCCTCCGACTGGAACGAGCTAGGTTCAGACAAGGAGTCCGCCGCTCTGCTGTGCTTTTTCACCCCTTGATAGCTGCCTCTCCGGTCTTTCTACCACAGACTTTATACCTGACAATCGAGGCAGGCCTATCTAGCCCAAGGTTTCTATGGAGCTAAAGTTACATTGTCTTAATCTCATTCTCCTAGTGACCGCCGGATCTATTGTGCAAGAGTGTTGTTTCGCCAGGTTAACTCATTATTATTTCACCGATGCGACTCTATCACACTACGCCGTCTCAAGCATCGACGGTTCTTCACATGGCCGGACCTATGGCCCTCCCATTCTCCTCGTCGCTAGAACTACTGTGCAAGAGTGTAGATTCGCCAGATCTATAAACTCCATCACCGTTGCGAGTCCATCACATTATGCCGTCTCAAGCATCGACGGTTCTTCACAGAGTCAACTATACGACCTAACTGAAACTGCTATCCTCAACAGAGGTTCCCCATGGAATATTACACCAACTCAATCACTGTACTTCAACTACAACTCAGATGGTCTATGCCTCATCTCCAAGTTGACAGGTTCCGTAAATCAGCCTTTCAGACTCGGTTTCACAAAAGCTCGCGTACCCCGGCACGGTAATGTTGGTGTTAGATGCTTTGATTTGACCAAAGTTCTGGCTGTATCATCGTATCCAGTTAACCTCCTCTCTATTGGCTGCTCTGAAGCAAGTATTGGTATTTTTGAGACTCACCTAGTCTCATCATCTTCCTCACGGGATAGTTATGTTCTTCATTGTACTTGAGATTCACCCAGTCTCTTCAGTGAGTTTTGCCGGTTTCAGAGTTAATCATGGTTGTTTCAATGCCAAATCAAGTCAGTTAGGACTTCATATCCTCGATGAGTATGTTGCATACGGATCTGGAGCTTCTCACCAAAAGTTCTTGCCAGCCAACATTCCAATCTCAACGGTGCATCAACGTCGTTTCGACTATCATCAATTGTTCTATGAAACAATAGTTTTTGGACCTCAAGTGAAGTATCTCTCTGGGTTCCTTCACTCCTTAAACATATCTATCTCTCTTGTTGTAGTGTTTGTTTTTCAGCTTGTTGCCGTTGAGTTTTTCTTCGGTTGTACTTTTTAAGTTTCTCGGACCGTTAGATTAATATAATCATTCAGTTGACAAAAAAAAAAAAAAAAATATAGATGATTTTCTAGAAGTTTTCTCTCCCCTTTATTGATTTGTTGCTATAATATTATCCCAGGCTTTAGTTTCGCACCCTAGTAATTACGGTACATGCATATGGTACATCATGTAATTGGATTATAGCTTTTAATCTTTGTAGCTTTGTTCGTTTGATATGCCAACCAACAAAATAGTAGCTTTTGTTATGGAAATGTACAATCACACAACCTTGCATCTCGTTGTGTTTGTTGCTGTGGAAATTGACAATAACATAACGTGTTTCTTTTCGTGCCTTTTGGAAACCAACCACCTCACCAAAACCTTTTTCTTCATGGGAAAATTCCAACACCTTTCAGAATTTAAAATTTGGTGTAGTGTTTACTTAACCCTATAATATTAACCAACTGGTTGTAGTGGTTTGGCGATGTTAGTGAAGATCGCAGGTCATGTCTCACTTAATTAATACTTGTTCACTCCTCAGACTGAATGTTAGGTCAAGCCTTGGAATAGCTAGTCGAGATTAGTTGTATGAGCAAAAGAAGAAAGGCTTTTGGAACCTGGAATTTGACCTTTGGTTACTTATTAACTCATTTGTGCATCCTTGATTTTGTTGCAAAGAGCTTAACTCCACGGTGGAATTGAAACCTAGTTACAACTGTTGAATTAGTGAACTGTTTTTCAAATTTACCTTGGGACTTCTATAAAGTCATAAATAGGAAAAAAAATCTGTGTGCAACTGATGCTTGTATGGATTACCTTTACACCTTAATAGTTTGTTTGCATTTACATTTAGATTGCGTTTCCATGTTCTAGTTTTCTAGTTACTAAAATGTCCGAAGCACAAACCTGTTGGGAAAAGAAACAATTGGGGCCTTAGTAGCAAAATGTCTTCCCTTTGAGACTAGGGGGTGTGTCTCTTAGTTTTAAGTGAATCAAAGCCAGTATAATTATAAATGGATTAATAGGTTAAAAGATAACATGTGAAATCTTTAATTTTATTACAATTTTTTACATTGAGTGGGAATTTCCTTTTCATTATAATATACATGTAAAGCCACAAGATTCATGAGACAACCAAACTTAGGGTAATTCCTGGTAAATATTAGAATTTTTTCTTTTCCTTAGAAGAGATTAAAAGATCATGTGGCCACTAAAATATTGCTTATGGGAGTGAGAGGTATAAAATAAGAATGGAAAACCAAATGTGGTTCTGCTTAAACGTAAATACTAGTTTTCTAGAATGTTAATGAAAATTATATATGTGAATTTTTTTTGTCCTGATTGTCTCTTCTGTGCCTTATACATGTTTCATAGTTTCAAGTGCGGCTTTCGACGGTTAGCTGGTACTTTTGATCCTAACATACTTTGATATATATTTTTGTCTTCTCTCCAG-3'
【００５４】
前記（ｄ１）のポリヌクレオチドは、例えば、前記正常ＦＬＣ１遺伝子の第１イントロン（配列番号７）の塩基配列と比較して、配列番号７の塩基配列の９９２番目の塩基（Ｔ）と９９３番目の塩基（Ａ）との間に、配列番号１０の塩基配列からなるポリヌクレオチド（配列番号１３の下線部）が挿入されている。また、前記（ｄ１）のポリヌクレオチドは、例えば、前記正常ＦＬＣ１遺伝子の第１イントロン（配列番号１６）の塩基配列と比較して、配列番号１６の塩基配列の９９８番目の塩基（Ｔ）と９９９番目の塩基（Ａ）との間に、配列番号１０の塩基配列からなるポリヌクレオチド（配列番号１３の下線部）が挿入されている。前記（ｄ１）のポリヌクレオチドは、例えば、後述する受託番号ＦＥＲＭ  ＢＰ−２２２５９で寄託されたアブラナ科植物から得ることができる。
【００５５】
前記（ｄ２）のポリヌクレオチドにおいて、前記「１もしくは数個」は、例えば、１〜８５２個、１〜６３９個、１〜４２６個、１〜２１４個、１〜１７１個、１〜１２８個、１〜８６個、１〜４３個、１〜２１個、１〜１１個、１〜５個、１個、２個、３個、または４個である。
【００５６】
前記（ｄ３）のポリヌクレオチドにおいて、前記「同一性」は、例えば、８０％以上、８５％以上、８９％以上、９０％以上、９５％以上、９６％以上、９７％以上、９８％以上、９９％以上である。
【００５７】
前記正常ＦＬＣ２遺伝子の第１イントロンに挿入変異を有する前記変異ＦＬＣ２遺伝子としては、例えば、前記ＦＬＣ２遺伝子の第１イントロンが、下記（ｅ）のポリヌクレオチドである変異ＦＬＣ２遺伝子があげられる。前記（ｅ）のポリヌクレオチドは、例えば、下記（ｅ１）、（ｅ２）、または（ｅ３）のポリヌクレオチドである。前記（ｅ２）および前記（ｅ３）は、それぞれ、前記アブラナ科植物の極晩抽性に関して前記（ｅ１）と同等の機能を有するポリヌクレオチドである。
（ｅ）  下記（ｅ１）、（ｅ２）、または（ｅ３）のポリヌクレオチド
（ｅ１）配列番号１４の塩基配列からなるポリヌクレオチド
（ｅ２）配列番号１４の塩基配列において、１もしくは数個の塩基対が欠失、置換、挿入および／または付加された塩基配列からなるポリヌクレオチド
（ｅ３）配列番号１４の塩基配列に対して、８０％以上の同一性を有する塩基配列からなるポリヌクレオチド
【００５８】
配列番号１４（ダイコン属  変異ＦＬＣ２遺伝子の第１イントロン）
5'-GTATTGACTTCTCCACTTCTGGGTTTTACTTTATTTGCCCTTTTAGCTTCCGTTCCTCTTCTCTTTACTATTTATAGGAAAATAAAATAAAGTACAAGTAAAATAAAATAAAACAATTAAAAGACACTTTGATTTTTCCGGCAGATCTCTTGTGGATTTCTCGGTTTTGTGTTTGTTATTGTTTCTTCTATGGCCATGAGAGATACATGAGGTAACCAGATTTGAGGAAGAACAATGTCTCGATGAGCTTTTTTTGTAACACAGCTTATATTATAAAAGGTTCAAGGAGCATCATCGGTTACAACTGAAGTAAAAGATTCCGGAGCCATGCTCGACGGTCTAACGAAGCTAAAAGACATTACAAAACAACTAAAGATAAAACCATCTAGGGGCGAGTCATGCTCAGCGAAATGAAGAAACCCGAAAGGAAGCTCCACTTTTGATCCCATGGCGATTGTTCCTAAGAACAATTGATAGTCGAAAACGACGTTGATACACCTTGTGTTGTTGACTGGCCAGAGCTTAAGGTGAGAAGCTCTAGAAACGTAGACGACACTGAAAGTACGGAGTCCTATCTGACTTGATTTGGCGCTGAAACAAGAACACTTAGCTTTAAACCCAACACAGCTTACCGAAGAGACTAGGTGAATCTCAAGCTCTAGCTTCACCTCCAAAGAGGTGCTTAGGATGAAGATTGATGACGGAGATGAAAGTTTAATTGGGTCCAAACCTCGGAACTCGACATTACCGTGTTGAGCCCAACAAGTTATACCCAAAAGAGAACTAATCATACAGTCATCGTACTCATTCAACCTGAACGTGTGTGAGCAAACATCGGATAAAAGGTAAAAAGCTTTGAGGAGATTGGGTCTTCGTGTACCAACTCCGGTTTGAAGGTCGCATAGTTGACTCTGTGAAGAACCGTCGATGCTTGAGACGGCGTAATGTGATAGAAGCGCAGCTGTGACATAATAGCAAACAAATCTGGCGCGTCTACACTCTTGCACAATAGTCCTGGCGACGAGGAAAAAGGTGAGAGGATCACGCCGTGAAGAACCGTCGATGCTTGAGACGGCGTAATGTGTTGGAAACGCAACGTTGACATAGTAACAAGCAAAACTGGCGAGTCCACATTCTTGCACGGTAGATCCGGTGATAAGGCGAGTGGTAAAAGAGGCGACGAAAGGGGCGAGAGAGGTGGTGGCGGTTGATACTCTCTTCATCTCCGGTTCCATAAATGTATATGAGACTAGATACTGCAGTATGGATGAATAAATCGGAGGGATTCGTCGAAGGAGGCCGTAGTGGTGAAGCTTTAGAACTCGTGAAGCGTAGGCCTGTGGAGACTCGACGGAGCTTGGCGGATTTACAGCGACTGAGAGACTCACAGATCTGTTGAGTCCAACCTCATGCTTAGAAGATCCAGCTTTCTCCCTTGAACTAAGCGGAGTAAGAGCGACGACGGTGAGGCGATGAGCAGCGGCGACGGTAGGGAGCCGAACAGATCCTGTGAACTCACACCGGAACTGAGAAGATTTTACGGTGAGGCGCGGAGTGACTTCGACGGTGACACTAGAAGATGAAACAATGTCGTTGAAAGATTTGACTTTCAGTGTTATTGACATACAGCTTTCTTCCTGGATGCACGATGTCCTCAAGATATCAGAGCAGCAGCTATGGTGAGGGGAGATGAAGCTTGAGCAGGTTGACCCAAAGATATGACTCATCTCCATCAGAGAAGTGAGTAGATCTAGAGGTGATGAAACAAGGACTGGAGAAAACGAGAACAGAGCGTTGGAGAGGATGACCTGAGAAGAGGAACAGTGGCGACGCCGGCAAGCTAGGCCGGCAAGAGGAACAGTGTCTCGATGAGCTAAAGCTTCTTACTTTCTTCATTTCTTCTCTCCCACAGTCCCACTCTCTCTCAATCTTTTTCTGCATGGATTTTTTTTTATTTGTAAAAAAAACTGCATGTCATTCAAGGTCTTTTTTTGATAAGCTGTGACGCAGACTTGATGTTGTGGTGTGAAGTTTCAATACATCTTTGATTTTTCAATTGGATTTAGGATTCCTTAAGTATTTTAAGAGTTCTTTATCAGAATAAGTATTGGTGTTTTTCTTTTTAGAGTAATTTAAGTGAACGGATCTCTTGATTTGTAATGCAATGCACTTCGGGGAGATCTATAAAATTGATGTAGGACTAATGCAAAAATTTACCACGGATTAATGCAATTCTCTCTTAAAGAGTTTTAATTTGAATGTATGCCACATTGTGTGGCAAATTTGAATCCTTAGAACTCCTTGAGGATCTGAAGAGTTCTTTACAAGAATATAAGTTATTATTGATGTTTCTATTTCTAGAATAATTTAAGTCAATGGATCTCTTGGATTTGTATGCATTACACTTCGGGGAGGTCTATAAAATTGATGTAGGACTAATGCGGAATAATAGATCAAGAGTTTAAATTTGAATGTATATACGTCACATTGTGCAGCCATTGATCTAAAAGATAATTGTATATCTTCAAAAGAATCTCTCTCTTTACCACGGATTTATTGCTTGAAGGTTATCCAAATTATAAGGTTACTAGTTGGTTCTTAGTTTTCAGATATATATATGTAAAGTAATTTTGAATTTTGGTAGGTTTAAGAAAACTCATCCTCACAATTAGTACTTAACCACACGTATTCTACACTAATTAGGTTCTCCAAAATTTCCATTAGAATGGGGTTGATCAAGGATTAGCTAGTAGTTTTGATCCTAACTTGTTTTGTTTTGTCTCCTCTTCAG-3'
【００５９】
前記（ｅ１）のポリヌクレオチドは、例えば、前記正常ＦＬＣ２遺伝子の第１イントロン（配列番号８）の塩基配列と比較して、配列番号８の塩基配列の２４９番目の塩基（Ｔ）と２５０番目の塩基（Ａ）との間に、配列番号１１の塩基配列からなるポリヌクレオチド（配列番号１４の下線部）が挿入されている。また、前記（ｅ１）のポリヌクレオチドは、例えば、前記正常ＦＬＣ２遺伝子の第１イントロン（配列番号１７）の塩基配列と比較して、配列番号１７の塩基配列の２４９番目の塩基（Ｔ）と２５０番目の塩基（Ａ）との間に、配列番号１１の塩基配列からなるポリヌクレオチド（配列番号１４の下線部）が挿入されている。前記（ｅ１）のポリヌクレオチドは、例えば、後述する受託番号ＦＥＲＭ  ＢＰ−２２２５９で寄託されたアブラナ科植物から得ることができる。
【００６０】
前記（ｅ２）のポリヌクレオチドにおいて、前記「１もしくは数個」は、例えば、１〜５５９個、１〜４１９個、１〜２８０個、１〜１４０個、１〜１１２個、１〜８４個、１〜５６個、１〜２８個、１〜１４個、１〜７個、１〜３個、１個、または２個である。
【００６１】
前記（ｅ３）のポリヌクレオチドにおいて、前記「同一性」は、例えば、８０％以上、８５％以上、８９％以上、９０％以上、９５％以上、９６％以上、９７％以上、９８％以上、９９％以上である。
【００６２】
前記正常ＦＬＣ３遺伝子の第１イントロンに欠失変異を有する前記変異ＦＬＣ３遺伝子としては、例えば、前記ＦＬＣ３遺伝子の第１イントロンが、下記（ｆ）のポリヌクレオチドである変異ＦＬＣ３遺伝子があげられる。前記（ｆ）のポリヌクレオチドは、例えば、下記（ｆ１）、（ｆ２）、または（ｆ３）のポリヌクレオチドである。前記（ｆ２）および前記（ｆ３）は、それぞれ、前記アブラナ科植物の極晩抽性に関して前記（ｆ１）と同等の機能を有するポリヌクレオチドである。
（ｆ）  下記（ｆ１）、（ｆ２）、または（ｆ３）のポリヌクレオチド
（ｆ１）配列番号１５の塩基配列からなるポリヌクレオチド
（ｆ２）配列番号１５の塩基配列において、１もしくは数個の塩基対が欠失、置換、挿入および／または付加された塩基配列からなるポリヌクレオチド
（ｆ３）配列番号１５の塩基配列に対して、８０％以上の同一性を有する塩基配列からなるポリヌクレオチド
【００６３】
配列番号１５（ダイコン属  変異ＦＬＣ３遺伝子の第１イントロン）
5'-GTATGACTTCTCTTCTTCTGTGTCTCCCTTTATTTGCCTTTTGAGCTTCTGTTTACTTTCTCTTCACTTTTCTGATATAATAATTAAAGATATAATAAAATAATTAAAATATAATAAGATAATTAAAAGACACTTTGATTTTTCCGACAAATCTCTTGTGGATTTCTCGATTTTTTGTGTGTTTTTATTGTTTCTTCTATGGTCATATATACATGAGATAACCAAATCTGAGGAAGAACAAGGTCGTGATGAGCTAAACCTTCTTACTTTCTTCCCTTTTCTCTCTCTTTTTTTTGTTCTTAATTTTGATTTTTCTGCATGGATTTTATTTTATTTGTGAAAATTTGCATGTCCTTCAAGATCTTTCTGAAACATTGTGATGCATACTTGATGTTGTTTAGTGAAGTTTCAAGCCGTCTTTGATTGTTGGTTCATCAGTTATTAGTTGTCTTTAGGGATACCTTATGAGAATAATCGATTACTGAATTTTTTTTTATCATAGTGATTATTTATTTGCGTTTCTGTTTTAGAGTAATTAAAATAGTTGGAACTGTCAGATTTTTGTGCAATGCAGTCCACTGCACTTCGAAGAGATCTATAAAATTGATATAGGGTTCATGATGCTGAATAGTGAATAGTATAGTACATCAAGAGTTTTGATCTGAATGTAAGCGACATTGTGCAGCTATTGACTAAAAGATAATTGCATATCTTCAAAAAAGAGTTATCTGTTTACCATGGATTTATGACTTCAAGGTTATACAAATTGTAAATTTTCTAATTTATTCTTAATTACATATATAAAAATAGTAGTTTTGAAATTTTGTTAGGCTTAAGAAAACTCAGCCTCACATTTAGTACTTAATTACCGCACATATGCTACACTATTTATGTGATAATGTATCTTATAAAGCATCAGAGAATGCTAAAAATAATTAAGAAGTGGTAATCCAAATGTGCGGCTGCTTGAACATGATCACTACAGTTTTTCCTGAAGTTTTAGCAAATCTTAGGGGACGGGAAATTAACATTTAAAAAAAAAAAATCTCTTCTGATGTTTCATAGATTCCAGTTGTGTTTCCGGGTTTAACTAGTAGTTTTGTCCTTAACATTTTTTTTGTTTTTTTTCTCCAG-3'
【００６４】
前記（ｆ１）のポリヌクレオチドは、例えば、前記正常ＦＬＣ３遺伝子の第１イントロン（配列番号９）の塩基配列と比較して、配列番号９の塩基配列の９１４番目の塩基（Ｃ）から９７０番目の塩基（Ａ）までの塩基配列、すなわち、配列番号１２の塩基配列からなるポリヌクレオチド（配列番号９のかっこで囲んだ下線部）が欠失されている。また、前記（ｆ１）のポリヌクレオチドは、例えば、前記正常ＦＬＣ３遺伝子の第１イントロン（配列番号１８）の塩基配列と比較して、配列番号１８の塩基配列の９０９番目の塩基（Ｃ）から９６５番目の塩基（Ａ）までの塩基配列、すなわち、配列番号１２の塩基配列からなるポリヌクレオチド（配列番号１８のかっこで囲んだ下線部）が欠失されている。前記（ｆ１）のポリヌクレオチドは、例えば、後述する受託番号ＦＥＲＭ  ＢＰ−２２２５９で寄託されたアブラナ科植物から得ることができる。
【００６５】
前記（ｆ２）のポリヌクレオチドにおいて、前記「１もしくは数個」は、例えば、１〜２２７個、１〜１７１個、１〜１１４個、１〜５６個、１〜４６個、１〜３５個、１〜２３個、１〜１２個、１〜６個、１〜３個、１個、または２個である。
【００６６】
前記（ｆ３）のポリヌクレオチドにおいて、前記「同一性」は、例えば、８０％以上、８５％以上、８９％以上、９０％以上、９５％以上、９６％以上、９７％以上、９８％以上、９９％以上である。
【００６７】
本発明において、前記第１の変異ＦＬＣ遺伝子、前記第２の変異ＦＬＣ遺伝子および前記第３の変異ＦＬＣ遺伝子を有するか否かは、例えば、それぞれのＦＬＣ遺伝子に対して、プライマーセットを使用した遺伝子増幅を行い、増幅断片の長さから、挿入変異の変異ＦＬＣ遺伝子および欠失変異の変異ＦＬＣ遺伝子を判断してもよいし、それぞれのＦＬＣ遺伝子の第１イントロンの塩基配列を決定し、前記塩基配列から挿入変異の変異ＦＬＣ遺伝子および欠失変異の変異ＦＬＣ遺伝子を判断してもよい。
【００６８】
前者の場合、具体例として、前記第１の変異ＦＬＣ遺伝子、前記第２の変異ＦＬＣ遺伝子および前記第３の変異ＦＬＣ遺伝子は、例えば、それぞれ、前述した前記プライマーセット１、２および３を使用した遺伝子増幅により、所定の範囲の長さの断片が増幅される。前記プライマーセット１によれば、例えば、ＦＬＣ１遺伝子の増幅により、正常か挿入変異かを確認でき、プライマーセット２によれば、例えば、ＦＬＣ２遺伝子の増幅により、正常か挿入変異かを確認でき、プライマーセット３によれば、例えば、ＦＬＣ３遺伝子の増幅により正常か欠失変異かを確認できる。
【００６９】
本発明において、「極晩抽性」とは、前述のように、花芽形成、抽台または開花までの期間が長いことを意味し、具体的には、例えば、アブラナ科植物を低温条件で処理した場合、前記低温条件での処理の最終日を基準として、花芽形成、抽台または開花までの期間により判断できる。より具体的には、例えば、評価対象のアブラナ科植物を播種し、所定期間の栽培を行った後、所定期間の低温処理を行い、再度、栽培を行い、前記低温処理の最終日を基準として、花芽形成、抽台または開花までの期間を確認することで、前記極晩抽性を評価できる。
【００７０】
前記極晩抽性の程度は、例えば、後述する実施例２の記載の方法に準じて、開花度により表すことができる。具体的に、対象となるアブラナ科植物について、自殖系統の複数の種子または同一クローンの複数の種子を播種し、所定の低温条件下で低温処理した後、所定の栽培条件下で栽培を続ける。そして、前記低温条件下の処理最終日を基準として、所定の日数後（例えば、３０〜６０日後）における花芽形成、抽台（花茎の伸長）および開花を、下記基準に基づき分類することで、前記開花度を算出する。前記低温条件は、例えば、２〜１２℃、８〜１６時間日長であり、前記低温条件での処理期間は、例えば、２０〜６０日であり、前記栽培条件は、例えば、１５〜２５℃、８〜１６時間日長である。前記極晩抽性の評価において、前記低温処理および前記栽培は、例えば、野外および室内のいずれでもよい。
【００７１】
開花度１：花芽が見られない（不抽台）
開花度２：花茎長１ｃｍ未満
開花度３：花茎長３ｃｍ未満
開花度４：花茎長５ｃｍ未満
開花度５：花茎長１０ｃｍ未満
開花度６：花茎長２０ｃｍ未満
開花度７：花茎長２０ｃｍ以上
開花度８：主枝に開花がみられる
開花度９：主枝並びに側枝に開花がみられる
【００７２】
そして、例えば、前記複数の種子から得られた全アブラナ科植物の７５％以上が開花度１である場合を、優れた極晩抽性と判断できる。また、前記親系統として、抽台の程度がより高い（すなわち、抽台がより遅い）アブラナ科植物を使用する場合、例えば、前記スクリーニング方法により得られた親系統から、さらに、前記全アブラナ科植物の８０％以上、８５％以上、９０％以上、９５％以上、９７％以上、９９％以上または１００％が開花度１であるものを、より優れた極晩抽性の親系統として選択することもできる。
【００７３】
この他にも、前記極晩抽性の程度は、例えば、後述する実施例３の記載の方法に準じて、花芽組織が形成されるまでの日数により表すこともできる。具体的に、対象となるアブラナ科植物について、前述のような種子を播種し、所定の栽培条件下で約１ヵ月（例えば、３０日）栽培し、さらに、所定の低温条件下で低温処理した後、再度、前記栽培条件下で栽培を続ける。前記栽培条件は、例えば、１５〜２５℃、８〜１６時間日長であり、前記低温条件は、例えば、４〜６℃、８〜１６時間日長であり、前記低温処理の処理時間は、例えば、２０〜６０日である。そして、前記低温条件下の処理最終日を基準として、所定の大きさの花芽組織（例えば、長さ５ｍｍ）が形成されるまでの日数を計測する。そして、例えば、前記基準から所定日数以内（例えば、６０日以内）には花芽を形成しない場合、優れた極晩抽性と判断する。前記極晩抽性の評価において、前記栽培および前記低温処理は、例えば、野外および室内のいずれでもよい。
【００７４】
本発明のスクリーニング方法により得られた前記極晩抽性マーカーセットを有する親系統は、前述のように、極晩抽性を有する。前記極晩抽性の程度は、例えば、前述の方法で表すことができる。本発明のスクリーニング方法においては、例えば、前記選抜工程の後、さらに、前記選抜工程で得られた選抜した植物（以下、「極晩抽性候補植物」ともいう）について、前記極晩抽性の程度を確認する工程を含んでもよい。極晩抽性の程度は、例えば、前述のように、花芽形成（花芽分化）、抽台または開花の確認により評価することができる。
【００７５】
前述のように、本発明のスクリーニング方法により得られた前記マーカーセットを有するアブラナ科植物を、前記第１の親系統および前記第２の親系統とした場合、前記両者は、ともに極晩抽性を有しており、開花時期が重複するため、受粉可能である。本発明において、前記両親系統の開花時期が重複するとは、例えば、前記第１の親系統の開花日を基準として、前記第２の親系統の開花日が、例えば、前記基準の２６日前〜２６日後、好ましくは１２日前〜１２日後、より好ましくは９日前〜９日後である。また、前記Ｆ１品種の種子の採種数がさらに向上することから、前記第２の親系統の開花日が、前記第１の親系統の開花日を基準として、例えば、さらに好ましくは５日前〜５日後、特に好ましくは３日前〜３日後、最も好ましくは同日である。
【００７６】
（２）親系統の極晩抽性アブラナ科植物
本発明の親系統の極晩抽性のアブラナ科植物は、交雑により極晩抽性アブラナ科植物を生産するための親系統であり、前記極晩抽性マーカーセットとして少なくとも２種類の変異ＦＬＣ遺伝子をホモ接合型で有し、前記２種類の変異ＦＬＣ遺伝子が、正常ＦＬＣ遺伝子の塩基配列において１または数個の塩基対が挿入された挿入変異遺伝子、および、前記正常ＦＬＣ遺伝子の塩基配列において１または数個の塩基対が欠失された欠失変異遺伝子の少なくとも一方であることを特徴とする。本発明の親系統の極晩抽性のアブラナ科植物は、例えば、前記本発明の親系統のスクリーニング方法等の説明を援用できる。
【００７７】
本発明の親系統を、例えば、第１の親系統および第２の親系統として使用することにより、例えば、両方の親系統の開花時期が重複するため、後代系統（Ｆ１）を容易に採種することができる。また、両方の親系統が、前記ホモ接合型の前記極晩抽性マーカーセットを有することから、例えば、得られる後代系統についても、親系統の有する極晩抽性を保持することができる。前記第１の親系統と前記第２の親系統とは、例えば、少なくとも２種類の変異ＦＬＣ遺伝子をホモ接合型で共通して有することが好ましく、全ての変異ＦＬＣ遺伝子をホモ接合型で共通して有することがより好ましい。
【００７８】
本発明の親系統の極晩抽性アブラナ科植物は、例えば、前記本発明のスクリーニング方法により得ることができる。本発明の親系統の極晩抽性アブラナ科植物は、一例として、受託番号ＦＥＲＭ  ＢＰ−２２２５９で寄託されたアブラナ科植物またはその後代系統があげられる。寄託の情報を以下に示す。
寄託の種類：国際寄託
寄託機関名：独立行政法人製品評価技術基盤機構  特許生物寄託センター
あて名：日本国  〒２９２−０８１８  千葉県木更津市かずさ鎌足２−５−８  １２０号室
受託番号：ＦＥＲＭ  ＢＰ−２２２５９
識別のための表示：Ｔａｋｉｉ５
受領日：２０１３年１２月１９日
【００７９】
本発明において、前記後代系統とは、例えば、自殖交雑後代でもよいし、戻し交雑後代でもよい。
【００８０】
また、本発明の親系統は、例えば、アブラナ科植物に、前記本発明の極晩抽性マーカーセットを導入することによっても製造できる。前記アブラナ科植物への前記マーカーセットの導入方法は、特に制限されず、例えば、従来公知の遺伝子工学的手法があげられる。導入する前記マーカーセットは、前記アブラナ科植物由来の極晩抽性マーカーセットであればよく、前述のようなものが例示できる。
【００８１】
（３）極晩抽性アブラナ科植物の製造方法
本発明の極晩抽性アブラナ科植物の製造方法は、前述のように、極晩抽性の後代系統であるアブラナ科植物の製造方法であり、第１の親系統と第２の親系統とを交雑することによって、極晩抽性の後代系統であるアブラナ科植物を得る交雑工程を含み、前記第１の親系統と前記第２の親系統が、それぞれ、極晩抽性マーカーセットとして少なくとも２種類の変異ＦＬＣ遺伝子をホモ接合型で有するアブラナ科植物であり、前記２種類の変異ＦＬＣ遺伝子が、正常ＦＬＣ遺伝子の塩基配列において１または数個の塩基対が挿入された挿入変異遺伝子、および、前記正常ＦＬＣ遺伝子の塩基配列において１または数個の塩基対が欠失された欠失変異遺伝子の少なくとも一方であることを特徴とする。本発明の極晩抽性アブラナ科植物の製造方法は、例えば、前記本発明の親系統のスクリーニング方法等の説明を援用できる。
【００８２】
本発明の製造方法は、前記極晩抽性マーカーセットを有するアブラナ科植物を、第１の親系統および第２の親系統として使用することが特徴であって、その他の工程および条件は、何ら制限されない。前記極晩抽性マーカーセットは、前述の通りである。本発明の製造方法は、例えば、育成方法ということもできる。
【００８３】
本発明の製造方法において、前記第１の親系統と前記第２の親系統とは、例えば、少なくとも２種類の変異ＦＬＣ遺伝子をホモ接合型で共通して有することが好ましく、全ての変異ＦＬＣ遺伝子をホモ接合型で共通して有することがより好ましい。
【００８４】
本発明における前記第１の親系統および前記第２の親系統は、例えば、前記本発明のスクリーニング方法により得ることもできる。このため、本発明の製造方法は、例えば、前記交雑工程の前に、さらに、アブラナ科植物の候補群から、少なくとも２種類の変異ＦＬＣ遺伝子をホモ接合型で有する植物を、前記第１の親系統または前記第２の親系統として選抜する選抜工程を含んでもよい。また、本発明においては、前記第１の親系統および前記第２の親系統の両方を、それぞれ、前記選抜工程により選抜してもよい。前記親系統の選抜は、例えば、前記本発明のスクリーニング方法を援用できる。
【００８５】
本発明において、前記第１の親系統と前記第２の親系統との交雑は、例えば、同一個体間の交雑（正自家受粉）でもよいし、同一クローン個体間または近交系で維持されている系統の個体間の交雑（準自家受粉）でもよいし、異なる個体間の交雑（他家受粉）でもよい。前記正自家受粉の場合、前記第１の親系統および前記第２の親系統は、例えば、いずれか一方が同一個体における雌器官であり、他方が、同一個体における花粉である。前記準自家受粉とは、例えば、自家不和合性に関するＳ遺伝子型が同じである場合があげられ、前記他家受粉は、例えば、自家不和合性に関するＳ遺伝子型が異なる場合があげられる。アブラナ科植物の交雑においては、前記第１の親系統と前記第２の親系統とが、異なるＳ遺伝子型であり、前記交雑が他家受粉であることが好ましい。
【００８６】
本発明において、前記第１の親系統および前記第２の親系統の少なくとも一方として、例えば、前述のような受託番号ＦＥＲＭ  ＢＰ−２２２５９で寄託されたアブラナ科植物またはその後代系統が使用できる。
【００８７】
本発明の製造方法においては、例えば、前記第１の親系統および前記第２の親系統の少なくとも一方として、前記極晩抽性の性質以外に、育種上または品質上望ましい性質を有する植物を使用してもよい。従来、品質の良いアブラナ科植物を用いて、新たにＦ１品種を作成する場合、市販品種または伝統的地方品種の形質に類縁である品質は良いが晩抽性の程度が低い親系統に対して、野生種の形質に類縁である品質は悪いが晩抽性の程度が高い親系統を交雑させることで、前者の品質を導入することが試みられていた。しかしながら、前記交雑により作製されたＦ１品種は、前者の親系統よりも品質が低下し、また、後者の親系統よりも晩抽性の程度が低下するため、結果的に、晩抽性および品質を両立したＦ１品種の作製は困難という問題あった。また、前者の親系統と後者の親系統は、開花時期が重複し難いことからも、依然、前記Ｆ１品種の種子の採種および生産は困難であった。しかしながら、本発明によれば、前記極晩抽性マーカーセットを有する第１の親系統および第２の親系統を使用することにより、両親系統の開花時期が重複するため、Ｆ１品種の種子を得ることがでる。また、前記第１の親系統と前記第２の親系統とが、例えば、少なくとも２種類のマーカーをホモ接合型で共通して有している場合、Ｆ１品種も、前記極晩抽性を維持させることができる。このため、所望の品質を有するアブラナ科植物のうち、前記極晩抽性マーカーセットを有するものを使用することで、前記所望の品質を有するＦ１品種を新たに得ることができ、且つ、得られたＦ１品種自体に、前記極晩抽性を維持させることができる。
【００８８】
前記交雑工程において得られた後代系統について、極晩抽性か否かは、例えば、前記極晩抽性マーカーセットの確認により、間接的に確認できる。また、前記後代系統の極晩抽性の程度は、例えば、前述したような方法により表すことができる。
【００８９】
本発明によれば、前述のように、前記極晩抽性マーカーセットを有する前記第１の親系統および前記第２の親系統を使用するため、両者は、同様の極晩抽性で且つ開花時期も重複する。開花時期の重複とは、例えば、前述の通りである。
【００９０】
本発明の製造方法は、例えば、前記交雑工程の後、さらに、前記交雑工程で得られた後代系統を育成する工程を有してもよい。
【００９１】
本発明の極晩抽性アブラナ科植物について、花芽形成、抽台または開花の時期に関する極晩抽性以外の特徴、例えば、形質的、生態的特徴等は、特に限定されない。具体例として、極晩抽性アブラナ科植物が、ダイコンである場合、３８ｃｍ以上の根長を有する、７〜８ｃｍの根径を有する、肥大性がよい、す入りが遅い、食味がよい、根の表皮色がよい、胚軸の表皮色がよい、葉の形がよい、草型がよい、生育が旺盛である、耐病性、耐暑性、耐寒性、耐生理障害であることが例示できる。
【００９２】
本発明において、「植物」は、植物全体を示す植物個体および前記植物個体の部分のいずれの意味であってもよい。前記植物個体の部分は、例えば、器官、組織、細胞または栄養繁殖体等があげられ、いずれでもよい。前記器官は、例えば、花弁、花冠、花、葉、種子、果実、茎、根等があげられる。前記組織は、例えば、前記器官の部分である。前記植物体の部分は、例えば、一種類の器官、組織および／または細胞でもよいし、二種類以上の器官、組織および／または細胞でもよい。
【実施例】
【００９３】
以下、実施例を用いて本発明を詳細に説明するが、本発明は実施例に記載された態様に限定されるものではない。
【００９４】
［実施例１］
極晩抽性ダイコンを選抜し、前記極晩抽性ダイコンについて、ＦＬＣ遺伝子の遺伝子解析を行い、極晩抽性マーカーセットとして、少なくとも２つの変異ＦＬＣ遺伝子を有することを確認した。
【００９５】
（１）極晩抽性ダイコンの選抜
タキイ種苗株式会社農場で継代育種により採種されたダイコン種子について、自家受粉するよう、セルトレイに１系統あたり８個体を播種し、所定の栽培条件（２０℃、１６時間日長）に設定したガラス温室で１ヵ月栽培した。前記栽培後、所定の低温条件（６℃、１６時間日長）に設定した低温室で、２ヵ月低温処理した。前記低温処理後、さらに前記栽培条件のガラス温室で栽培し、開花の時期が最も遅かった１系統（１個体）を選抜した（第１選抜個体）。前記第１選抜個体から自殖種子を採種し、前述と同様にして、１００個体の播種、栽培、低温処理および栽培を行い（自家受粉）、開花の時期が最も遅かった１個体から、自殖種子を採種した（第２選抜個体）。さらに、前記第２選抜個体から採種した自殖種子（５０個体）を、前述と同様にして、播種、栽培、低温処理および栽培を行い、開花の時期が最も遅かった個体を選抜した（第３選抜個体）。そして、前記第３選抜個体から、自殖種子を採種した。採種した前記第３選抜個体由来の自殖種子（３個体）を、前述と同様にして、播種、栽培、低温処理および栽培を行い（自家受粉）、最も開花の遅かった個体を、晩抽性の選抜系統２７−１（第４選抜個体）とした。そして、前記選抜系統２７−１について２回自殖を行った。
【００９６】
（２）ＦＬＣ遺伝子の遺伝子型
前記自殖後の選抜系統２７−１の葉から、常法によりゲノムＤＮＡを抽出した。つぎに、前記ダイコン属の正常ＲｓＦＬＣ１遺伝子の第１イントロンの塩基配列（配列番号７）に基づき、６５０〜１２９３番目の塩基配列を増幅する下記プライマーセット１、前記ダイコン属の正常ＲｓＦＬＣ２遺伝子の第１イントロンの塩基配列（配列番号８）に基づき、１４１〜６８８番目の塩基配列を増幅する下記プライマーセット２、および前記ダイコン属の正常ＲｓＦＬＣ３遺伝子の第１イントロンの塩基配列（配列番号９）に基づき、８０１〜９９６番目の塩基配列を増幅する下記プライマーセット３を、それぞれ作製した。そして、前記ゲノムＤＮＡについて、前記プライマーセットを用いて、ＰＣＲを行った。プライマーセットの設計に関して、図１に概略を示す。図１に示すように、各プライマーセットは、各正常遺伝子に対して、挿入または欠失の変異が生じる位置の５’端から３’方向および３’端から５’方向に位置するように、それぞれ、フォワードプライマーおよびリバースプライマーを設計した。
【００９７】
プライマーセット１
フォワードプライマー  （配列番号１）
5'-GTTTCCTAACTGATTCTTAATTTCC-3'
リバースプライマー    （配列番号２）
5'-GAAGAAAAAGGTTTTGGTGAGGTGG-3'
プライマーセット２
フォワードプライマー  （配列番号３）
5'-GCAGATCTCTTGTGGATTTCTCGG-3'
リバースプライマー    （配列番号４）
5'-CTTCAGATCCTCAAGGAGTTCTAAG-3'
プライマーセット３
フォワードプライマー  （配列番号５）
5'-GTAGTTTTGAAATTTTGTTAGGC-3'
リバースプライマー    （配列番号６）
5'-CCACTTCTTAATTATTTTTAGC-3'
【００９８】
前記増幅産物を、それぞれ電気泳動に供し、前記ＦＬＣ１遺伝子、前記ＦＬＣ２遺伝子および前記ＦＬＣ３遺伝子のバンドを確認した。
【００９９】
また、比較例として、早抽性の自殖固定系統７６−１（宮重総太大根由来）および在来品種１２種類について、同様にＰＣＲを行い、得られた増幅産物について、電気泳動によりバンドを確認した。
【０１００】
これらの結果を図２に示す。図２は、前記増幅産物の電気泳動の結果を示す写真であり、上段は、ＲｓＦＬＣ１遺伝子に対する前記プライマーセット１の増幅産物、中段は、ＲｓＦＬＣ２遺伝子に対する前記プライマーセット２の増幅産物、下段は、ＲｓＦＬＣ３遺伝子に対する前記プライマーセット３の増幅産物を示す写真である。図２の各段において、各レーンは、左から、ＤＮＡマーカー、選抜系統２７−１、固定系統７６−１、および在来品種１２種類を示す。前記在来品種１〜１２は、以下の通りである。
【０１０１】
１  大阪四十日大根
２  みの早生大根
３  宮重総太
４  守口大根
５  練馬大根
６  三浦大根
７  白上り京大根
８  小瀬菜大根
９  晩生春若大根
１０  二年子大根
１１  Ｆｒｅｎｃｈｂｒｅａｋｆａｓｔ３
１２  Ｓｃｋｅｒｌｅｔ  ｇｌｏｂｅ
【０１０２】
図２に示すように、前記自殖固定系統７６−１では、前記プライマーセット１の増幅産物は、正常ＲｓＦＬＣ１遺伝子であることを意味する約０．６ｋｂｐの位置にホモ接合型の単一バンドが確認され（上段の黒矢印）、前記プライマーセット２の増幅産物は、正常ＲｓＦＬＣ２遺伝子であることを意味する約０．５ｋｂｐの位置にホモ接合型の単一バンドが確認され（中段の黒矢印）、前記プライマーセット３の増幅産物は、正常ＲｓＦＬＣ３遺伝子であることを意味する約２００ｂｐの位置にホモ接合型の単一バンドが確認された（下段の黒矢印）。これに対し、前記選抜系統２７−１では、前記プライマー１の増幅産物は、約２．６ｋｂｐの位置にホモ接合型の単一のバンドが確認され（上段の白矢印）、正常ＲｓＦＬＣ１遺伝子に対して約２ｋｂｐの挿入変異（つまり、塩基対約２０００個の挿入変異）が起こった挿入変異ＲｓＦＬＣ１遺伝子であることがわかった。また、前記プライマー２の増幅産物は、約２ｋｂｐの位置にホモ接合型の単一のバンドが確認され（中段の白矢印）、正常ＲｓＦＬＣ２遺伝子に対して約１．５ｋｂｐの挿入変異（つまり、塩基対約１５００個の挿入変異）が起こった挿入変異ＲｓＦＬＣ２遺伝子であることがわかった。また、前記プライマー３の増幅産物は、約１５０ｂｐの位置にホモ接合型の単一のバンドが確認され（下段の白矢印）、正常ＲｓＦＬＣ３遺伝子に対して約５０ｂｐの欠失変異（つまり、塩基対約５０個の欠失変異）が起こった欠失変異ＲｓＦＬＣ３遺伝子であることがわかった。なお、在来品種に関しては、前記プライマーセット１、前記プライマーセット２および前記プライマーセット３のうち２つまたは全てについて、前記選抜系統２７−１と同じ位置にホモ接合型のバンドを示したものはなかった。
【０１０３】
［実施例２］
前記実施例における選抜系統２７−１、固定系統７６−１、Ｆ１品種および在来種について、ＦＬＣ遺伝子の遺伝子型および開花度を確認し、前記極晩抽性マーカーセットである少なくとも２つのホモ接合型の変異ＦＬＣ遺伝子を有する品種が、極晩抽性を示すことを確認した。
【０１０４】
（１）遺伝子型
前記実施例１における選抜系統２７−１、固定系統７６−１、在来品種およびＦ１品種について、前記実施例１（２）と同様にして、ＦＬＣ遺伝子の遺伝子型を確認した。これらの結果を表１、表２Ａ、表２Ｂおよび表３に示す。
【０１０５】
表１、表２Ａ、表２Ｂおよび表３において、「Ａ」は、前記変異ＦＬＣ遺伝子がホモ接合型であることを示し、「Ｂ」は、前記正常ＦＬＣ遺伝子がホモ接合型であることを示し、「Ｈ」は、前記正常ＦＬＣ遺伝子と前記変異ＦＬＣ遺伝子とのヘテロ接合型であることを示す。
【０１０６】
【表１】
2015231366.tif 000003
【０１０７】
【表２Ａ】
2015231366.tif 000004
【０１０８】
【表２Ｂ】
2015231366.tif 000005
【０１０９】
【表３】
2015231366.tif 000006
【０１１０】
（２）開花度
つぎに、４月１６日に、青森県上北郡の畑において、前記自殖後の選抜系統２７−１、春神楽、つや風、およびトップランナーについて、それぞれ４個体、８個体、１０個体、１０個体を播種し、そのまま野外で約２ヵ月（６月１９日まで）栽培した。約２ヵ月の屋外での栽培において、１〜３０日目の温度は、平均１０℃前後（２〜１２℃）の低温条件であり、その後の温度は、８〜１８℃であった。また、日長時間は、平均８〜１６時間であった。
【０１１１】
約２ヵ月後の６月１９日に、各品種について、目視で開花度を確認した。前記開花度は、下記基準に基づき分類し、開花度１の個体を極晩抽性の個体であると評価した。これらの結果を下記表４に示す。
開花度１：花芽が見られない（不抽台）
開花度２：花茎長１ｃｍ未満
開花度３：花茎長３ｃｍ未満
開花度４：花茎長５ｃｍ未満
開花度５：花茎長１０ｃｍ未満
開花度６：花茎長２０ｃｍ未満
開花度７：花茎長２０ｃｍ以上
開花度８：主枝に開花がみられる
開花度９：主枝並びに側枝に開花がみられる
【０１１２】
【表４】
2015231366.tif 000007
【０１１３】
前記表４に示すように、春神楽、つや風およびトップランナーは、栽培開始から約２ヵ月目の時点で、全ての個体が開花度２以上であり、抽台（花茎の伸長）または開花の開始が確認された。これに対して、選抜系統２７−１は、栽培開始から約２ヵ月目の時点で、全ての個体が開花度１の不抽台であった。
【０１１４】
このように、実施例の選抜系統２７−１は、３つのＦＬＣ遺伝子が、ホモ接合型の前記変異ＦＬＣ遺伝子であるが、その他の在来品種およびＦ１品種は、少なくとも２つのＦＬＣ遺伝子について、ホモ接合型の前記変異ＦＬＣ遺伝子を有するものは存在しなかった。これらの結果から、少なくとも２つのＦＬＣ遺伝子について、ホモ接合型の前記変異ＦＬＣ遺伝子を有することで、極晩抽性を示し、これらの変異遺伝子が極晩抽性マーカーセットとなることがわかった。
【０１１５】
［実施例３］
前記極晩抽性マーカーセットは、前述のように少なくとも２種類のホモ接合型の変異ＦＬＣ遺伝子である。そこで、極晩抽性の前記選抜系統２７−１と早抽性のダイコン植物とを交配してＦ２分離集団を作製し、ＦＬＣ１遺伝子、ＦＬＣ２遺伝子およびＦＬＣ３遺伝子について、少なくとも２種類のホモ接合型の変異ＦＬＣ遺伝子を有する系統とそれ以外の系統とを含むＦ２分離集団において、少なくとも２種類の変異ＦＬＣ遺伝子をホモ接合型でもつ系統のみが、極晩抽性を示すことを確認した。
【０１１６】
前記選抜系統２７−１と早抽性の固定系統７６−１とを交雑し、８００個体のＦ２分離集団（以下、８００個体という）を得た。前記８００個体の葉から、前記実施例１（２）と同様にして、ゲノムＤＮＡを抽出し、ＦＬＣ遺伝子の遺伝子型を確認した。
【０１１７】
前記ＦＬＣの遺伝子型を基に、前記Ｆ２分離８００個体から、ＦＬＣ１、ＦＬＣ２およびＦＬＣ３の遺伝子型を、前記晩抽系統２７−１型と同じホモ接合型で固定した個体（８個体）、前記早抽系統７６−１型で固定した個体（５個体）、ならびに、前記晩抽系統２７−１型と前記早抽系統７６−１型とのヘテロ接合型である個体（４個体）を、それぞれ選抜した。また、コントロールとして、前記２７−１系統（３個体）、前記７６−１系統（３個体）、および、これらを交雑したＦ１（３個体）を使用した。そして、それぞれの種子を、前記実施例１（１）と同様に播種し、２０℃、１６時間日長のガラス温室で１ヵ月栽培し、播種後１ヶ月の植物体を、６℃、４０日間、１６時間日長の条件下で低温処理を行った。その後、２０℃、１６時間日長の温室において、前記植物体をポットで栽培し、花芽形成が確認できるまでの日数を計測した。具体的には、低温条件下の処理最終日を０日目とし、５ｍｍの花芽が形成されるまでの日数を確認した。そして、下記評価基準に基づき、極晩抽性か否かを判断した。この結果を、ＦＬＣ遺伝子の遺伝子型とあわせて下記表５に示す。
【０１１８】
（花芽形成日数の評価基準）
６０日以内には花芽形成が見られない：極晩抽性である
【０１１９】
【表５】
2015231366.tif 000008
Ａ：２７−１（晩抽系統）型
Ｂ：７６−１（早抽系統）型
Ｈ：ＡとＢとのヘテロ接合型
○:  極晩抽性である
×:  極晩抽性でない
【０１２０】
前記表５に示すように、前記Ｆ２分離集団において、少なくとも２種類のホモ接合型の変異ＦＬＣ遺伝子を有する系統（Ａ、Ａ、Ａ）は、いずれも６０日以内では花芽形成が見られなかった。これは、ポジティブコントロールとして用いた前記２７−１系統と同様の結果であった。一方、前記Ｆ２分離集団において、正常ＦＬＣ遺伝子をホモ接合型でもつＦ２個体（Ｂ、Ｂ、Ｂ）は、早抽系統７６−１と同等の早い日数で花芽の形成が確認され、またヘテロ接合型のＦ２個体（Ｈ、Ｈ、Ｈ）は、前記Ｆ１個体（前記２７−１系統と前記７６−１系統とのＦ１個体）と同等の早い日数で、花芽の形成が確認された。具体的に、早抽系統７６−１、Ｆ２個体（Ｂ、Ｂ、Ｂ）およびＦ２個体（Ｈ、Ｈ、Ｈ）は、いずれも１２日〜３３日の間に花芽形成が確認された。以上の結果から、前記２７−１系統の極晩抽性は、ホモ接合型である変異ＦＬＣ１遺伝子、変異ＦＬＣ２遺伝子および変異ＦＬＣ３遺伝子に起因することがわかった。
【０１２１】
［実施例４］
前記極晩抽性ダイコンについて、ＦＬＣ遺伝子の遺伝子解析を行い、第１の変異ＦＬＣ遺伝子および第２の変異ＦＬＣ遺伝子が、挿入変異遺伝子であり、第３の変異ＦＬＣ遺伝子が、欠失変異遺伝子であることを確認した。
【０１２２】
前記３種類のホモ接合型の変異ＦＬＣ遺伝子を有する選抜系統２７−１および前記３種類のホモ接合型の正常ＦＬＣ遺伝子を有する固定系統７６−１の葉から、常法によりゲノムＤＮＡを抽出した。そして、前記選抜系統２７−１および前記固定系統７６−１のゲノムＤＮＡを鋳型として、ＤＮＡポリメラーゼ（Phusion（登録商標） High fidelity DNA polymerase、Finnzyme社製）および下記プライマーセットを用い、添付のプロトコルに従い、ＲｓＦＬＣ１遺伝子、ＲｓＦＬＣ２遺伝子およびＲｓＦＬＣ３遺伝子をＰＣＲにより増幅した。各プライマーセットは、各正常遺伝子の第１エキソンから５’側の５’非翻訳領域において、５’から３’方向にプライマーの一部が位置するように、フォワードプライマーを、また各正常遺伝子の第７エキソンから３’側の３’非翻訳領域において、３’から５’方向にプライマーの一部が位置するように、リバースプライマーを設計した。また、下記プライマーセットを用いて、対応する各遺伝子を増幅した場合、正常ＦＬＣ１遺伝子では、約４ｋｂｐ、変異ＦＬＣ１遺伝子では、約６ｋｂｐ、正常ＦＬＣ２遺伝子では、約３．３ｋｂｐ、変異ＦＬＣ２遺伝子では、約４．９ｋｂｐ、正常ＦＬＣ３遺伝子では、約３ｋｂｐ、変異ＦＬＣ３遺伝子では、約２．９ｋｂｐの増幅産物が得られる。
ＲｓＦＬＣ１遺伝子用プライマーセット
フォワードプライマー  （配列番号１９）
5'-CTCTAGAGGATCCCCGGGCACAAAGCCCTGTCGGAG-3'
リバースプライマー    （配列番号２０）
5'-TCGAGCTCGGTACCCTGACTAATTAAGCAATGGGAG-3'
ＲｓＦＬＣ２遺伝子用プライマーセット
フォワードプライマー  （配列番号２１）
5'-CTCTAGAGGATCCCCAGGGCACAAAGGCTTCTCGG-3'
リバースプライマー    （配列番号２２）
5'-TCGAGCTCGGTACCCAGGTGGCTAATAAAGCAGTGG-3'
ＲｓＦＬＣ３遺伝子用プライマーセット
フォワードプライマー  （配列番号２３）
5'-CTCTAGAGGATCCCCGGCACGAAGTCCTCTCGGAG-3'
リバースプライマー    （配列番号２４）
5'-TCGAGCTCGGTACCCGGCTAATTAAGCAGCGGGAG-3'
【０１２３】
得られた増幅産物について、アガロースゲルを用いて電気泳動後、エチジウムブロマイドにより染色した。前記染色により、増幅産物の増幅を確認後、前記増幅産物を含む分画を前記アガロースゲルから切り出し、ＤＮＡ抽出キット（UltraClean（登録商標） DNA purification kit、MO Bio Laboratories社製）を用いて、前記アガロースゲルから前記増幅産物を回収した。回収した増幅産物を制限酵素（ＳｍａＩ）で処理し、クローニングキット（In-Fusion（登録商標） HD Cloning Kit、Clontech社製）を用いて、前記制限酵素で処理したｐＵＣ１８ベクター（タカラバイオ社製）にクローニングすることにより、前記増幅産物を含むベクターを得た。上記クローニングは、３回行った。前記ベクターを大腸菌に形質導入後、アンピシリンによりセレクションを行った。そして、得られたポジティブクローンからプラスミド精製キット（QIAprep Spin Miniprep Kit、QIAGEN社製）を用い、前記ベクターを精製した。得られたベクターについて、シーケンサー（CEQ（商標）8800、Beckman coulter社製）を用い、添付のプロトコルに従い、サンガー法により塩基配列を決定した。得られた配列データは、解析ソフト（SEQUENCHER（登録商標） 4.0、Gene Codes Corporation社製、GENETYX（登録商標） Ver.11、GENETYX CORPORATION社製）を用いて、塩基配列をアセンブルおよび解析した。なお、前記固定系統７６−１については、２個の個体（以下、それぞれ、「第１の固定系統７６−１」および「第２の固定系統７６−１」ともいう。）について、それぞれ、塩基配列を決定した。
【０１２４】
この結果、前記選抜系統２７−１の変異ＦＬＣ１遺伝子、変異ＦＬＣ２遺伝子、および変異ＦＬＣ３遺伝子の第１イントロンの塩基配列は、それぞれ、配列番号１３、配列番号１４、および配列番号１５の塩基配列であることがわかった。また、前記第１の固定系統７６−１の正常ＦＬＣ１遺伝子、正常ＦＬＣ２遺伝子、および正常ＦＬＣ３遺伝子の第１イントロンの塩基配列は、それぞれ、配列番号７、配列番号８、および配列番号９の塩基配列であることがわかった。前記第２の固定系統７６−１の正常ＦＬＣ１遺伝子、正常ＦＬＣ２遺伝子、および正常ＦＬＣ３遺伝子の第１イントロンの塩基配列は、それぞれ、配列番号１６、配列番号１７、および配列番号１８の塩基配列であることがわかった。さらに、前記選抜系統２７−１の変異ＦＬＣ１遺伝子の第１イントロンの塩基配列は、前記第１および第２の固定系統７６−１の正常ＦＬＣ１遺伝子の第１イントロンの塩基配列に対して、前記配列番号１０の塩基配列からなるポリヌクレオチドが挿入されている点で共通することがわかった。さらに、前記選抜系統２７−１の変異ＦＬＣ２遺伝子の第１イントロンの塩基配列は、前記第１および第２の固定系統７６−１の正常ＦＬＣ２遺伝子の第１イントロンの塩基配列に対して、前記配列番号１１の塩基配列からなるポリヌクレオチドが挿入されている点で共通することがわかった。そして、前記選抜系統２７−１の変異ＦＬＣ３遺伝子の第１イントロンの塩基配列は、前記第１および第２の固定系統７６−１の正常ＦＬＣ３遺伝子の第１イントロンの塩基配列に対して、前記配列番号１２の塩基配列からなるポリヌクレオチドが欠失されている点で共通することがわかった。以上の結果から、前記極晩抽性ダイコンにおいて、第１の変異ＦＬＣ遺伝子および第２の変異ＦＬＣ遺伝子が、挿入変異遺伝子であり、第３の変異ＦＬＣ遺伝子が、欠失変異遺伝子であることがわかった。
【０１２５】
［実施例５］
前記極晩抽性マーカーセットは、前述のように少なくとも２種類のホモ接合型の変異ＦＬＣ遺伝子である。そこで、極晩抽性の前記選抜系統２７−１と早抽性のダイコン植物とを交配してＦ２分離集団を作製し、ＦＬＣ１遺伝子、ＦＬＣ２遺伝子およびＦＬＣ３遺伝子について、少なくとも２種類の変異ＦＬＣ遺伝子をホモ接合型で有する系統とそれ以外の系統とを含むＦ２分離集団において、少なくとも２種類の変異ＦＬＣ遺伝子をホモ接合型でもつ系統のみが、極晩抽性を示すことを確認した。
【０１２６】
前記選抜系統２７−１と前記固定系統７６−１とを交雑し、９６個体のＦ２分離集団（以下、「９６系統」ともいう。）を得た。前記９６系統をセルトレイに播種し、所定の栽培条件（２０℃、１６時間日長）に設定したガラス温室で３週間栽培した。前記栽培後、所定の低温条件（６℃、１６時間日長）に設定した低温室で、４０日間低温処理した。前記低温処理後、さらに、前記栽培条件のガラス温室で栽培し、開花の時期が最も遅かった１系統（１個体）を選抜した（Ｆ２選抜個体）。さらに、前記Ｆ２選抜個体から採種した自殖種子（３２個体、Ｆ３個体）について、前述と同様にして、栽培および低温処理した。前記低温処理後、さらに、前記栽培条件のガラス温室で３０日間栽培した。そして、各個体について、目視で開花度を確認した。前記開花度は、前記実施例２（２）の基準に基づき分類し、各遺伝子型において、開花度１の個体の割合が７５％以上の場合、極晩抽性であると評価した。また、各個体について、前記実施例１（２）と同様にして、ゲノムＤＮＡを抽出し、ＦＬＣ遺伝子の遺伝子型を決定した。なお、少なくとも２種類の変異ＦＬＣ遺伝子をホモ接合型で有さない個体は、比較例として分類した。さらに、前記９６系統について、前記実施例１（２）と同様にして、ゲノムＤＮＡを抽出し、ＦＬＣ遺伝子の遺伝子型を決定し、３種類のホモ接合型の変異ＦＬＣ遺伝子を有する２系統を選抜した（それぞれ、「Ｆ２−１系統」および「Ｆ２−２系統」ともいう。）。そして、前記Ｆ２選抜個体から採種した自殖種子に代えて、前記Ｆ２−１系統の自殖種子（３６個体）および前記Ｆ２−２系統の自殖種子（３６個体）を用いた以外は同様にして、開花度を確認した。また、ポジティブコントロールとして、前記Ｆ２選抜個体から採種した自殖種子に代えて、前記選抜系統２７−１（３２個体）を用いた以外は同様にして、開花度を確認した。これらの結果を下記表６に示す。
【０１２７】
【表６】
2015231366.tif 000009
【０１２８】
前記表６に示すように、３種類の変異ＦＬＣ遺伝子をホモ接合型で有するＦ３個体（Ａ、Ａ、Ａ）、ならびに２種類の変異ＦＬＣ遺伝子をホモ接合型で有するＦ３個体（Ａ、Ａ、Ｈ）、Ｆ３個体（Ａ、Ａ、Ｂ）、およびＦ３個体（Ｈ、Ａ、Ａ）は、前記低温処理後３０日の時点で、７５％以上の個体が開花度１の不抽台であり、極晩抽性であり、特に、前記Ｆ３個体（Ａ、Ａ、Ａ）、前記Ｆ３個体（Ａ、Ａ、Ｈ）、および前記Ｆ３個体（Ａ、Ａ、Ｂ）は、全ての個体が開花度１の不抽台であり、優れた極晩抽性であることがわかった。また、３種類の変異ＦＬＣ遺伝子をホモ接合型で有する前記Ｆ２−１系統および前記Ｆ２−２系統、ならびにポジティブコントロールとして用いた前記選抜系統２７−１においても、全ての個体が開花度１の不抽台であり、極晩抽性であることがわかった。他方、少なくとも２種類の変異ＦＬＣ遺伝子をホモ接合型で有さない比較例は、７８％以上の個体が開花度２以上であった。これらの結果から、少なくとも２種類の変異ＦＬＣ遺伝子をホモ接合型でもつ系統のみが、極晩抽性を示すことがわかった。
【０１２９】
以上、実施形態および実施例を参照して本発明を説明したが、本発明は、上記実施形態および実施例に限定されるものではない。本発明の構成や詳細には、本発明のスコープ内で当業者が理解しうる様々な変更をできる。
【０１３０】
この出願は、２０１４年５月１５日に出願された日本出願特願２０１４−１０１５１４を基礎とする優先権を主張し、その開示の全てをここに取り込む。
【産業上の利用可能性】
【０１３１】
以上のように、本発明のスクリーニング方法によれば、例えば、アブラナ科植物の候補群から、前記マーカーセットを有する植物を選抜することで、極晩抽性アブラナ科植物を得ることができる。そして、前記スクリーニング方法によって得られた前記少なくとも２種類のマーカーをホモ接合型で有するアブラナ科植物を、例えば、交雑の前記第１の親系統および前記第２の親系統として使用すれば、両者は、抽台および開花の時期が重複するため、両者の交雑が可能であり、受粉により、Ｆ１を容易に採種できる。また、前記第１の親系統と前記第２の親系統とが、例えば、少なくとも２種類のマーカーをホモ接合型で共通して有している場合、ホモ接合型の前記少なくとも２種類のマーカーを有する前記第１の親系統と前記第２の親系統とを交雑しているため、得られるＦ１についても、前記両親系統が有する極晩抽性を受け継がせることができる。さらに、本発明によれば、品種改良において、例えば、望ましい品質を有する候補群から、前記少なくとも２種類のマーカーをホモ接合型で有する植物を選抜し、親系統として使用することにより、極晩抽性を保持し且つ前記品質も有するＦ１の採種が可能となる。
【図１】
2015231366.tif 000010
【図２】
2015231366.tif 000011
【配列表】
2015231366000001.app